(57)【要約】【課題】ＰＤＡを用いて所望の番組を録画予約する。【解決手段】ＰＤＡ１−１は、番組情報サービスプロバイダ１４から、所定の番組の録画を予約するための番組情報を取得する。ユーザによって、録画予約したい所望の番組情報が選択されると、ＰＤＡ１−１は、その番組の録画予約を行うための予約情報をパーソナルコンピュータ９に送信する。これにより、パーソナルコンピュータ９では、ＰＤＡ１−１より送信されてきた予約情報に基づいて、所定の番組の録画予約が設定される。【選択図】図１
2010283829.tif 000002
【特許請求の範囲】
【請求項１】
番組に関する番組情報を提供する番組情報提供装置と、ユーザが所有する携帯型情報端末装置と、録画再生機能を有する情報処理装置とからなる情報処理システムにおいて、
前記番組情報提供装置は、
前記番組情報を蓄積する蓄積手段と、
前記携帯型情報端末装置から、前記番組情報を要求するための取得要求情報であって、前記ユーザを識別するためのユーザ識別情報を少なくとも含む前記取得要求情報を受信する取得要求情報受信手段と、
前記取得要求情報受信手段により受信された前記取得要求情報に基づき前記蓄積手段に蓄積されている前記番組情報を読み出し、前記携帯型情報端末装置に提供する提供手段と
を備え、
前記携帯型情報端末装置は、
前記番組情報提供装置に前記取得要求情報を送信する取得要求情報送信手段と、
前記取得要求情報を送信したことに対応して前記番組情報提供装置から提供される前記番組情報を取得する取得手段と、
前記取得手段により取得された前記番組情報に基づいて、所定の番組の録画予約を行うための予約情報を設定する設定手段と、
前記設定手段により設定された前記予約情報を送信する予約情報送信手段と
を備え、
前記情報処理装置は、
前記予約情報を受信する予約情報受信手段と、
前記予約情報受信手段により受信された前記予約情報に基づいて、前記番組の録画を制御する録画制御手段と
を備える情報処理システム。
【請求項２】
前記提供手段は、読み出した前記番組情報を、前記携帯型情報端末装置に対応する所定のファイル形式のデータに変換して前記携帯型情報端末装置に提供する
請求項１に記載の情報処理システム。
【請求項３】
前記携帯型情報端末装置は、
前記設定手段により設定された前記予約情報に対応する予約信号を生成する生成手段をさらに備え、
前記予約情報送信手段は、前記生成手段により生成された前記予約信号を変調した赤外線を前記情報処理装置に送信する
請求項１に記載の情報処理システム。
【請求項４】
前記携帯型情報端末装置は、
前記設定手段により設定された前記予約情報に対応する予約信号を生成する生成手段をさらに備え、
前記予約情報送信手段は、前記生成手段により生成された前記予約信号を変調した電波を前記情報処理装置に送信する
請求項１に記載の情報処理システム。
【請求項５】
前記取得要求情報は、前記取得要求情報により要求される前記番組情報に対応する地域を表す地域情報も含む
請求項１に記載の情報処理システム。
【請求項６】
前記携帯型情報端末装置は、前記取得手段により取得された前記番組情報を表示する表示手段をさらに備える
請求項１に記載の情報処理システム。
【請求項７】
前記携帯型情報端末装置は、前記所定の番組の録画履歴を受信する録画履歴受信手段をさらに備え、
前記表示手段は、前記録画履歴受信手段により受信された前記録画履歴に基づいて、前記番組情報を変更して表示する
請求項６に記載の情報処理システム。
【請求項８】
番組に関する番組情報を提供する番組情報提供装置と、ユーザが所有する携帯型情報端末装置と、録画再生機能を有する情報処理装置とからなる情報処理システムにおいて、
前記番組情報提供装置は、
前記番組情報および広告情報を蓄積する蓄積手段と、
前記携帯型情報端末装置から、前記番組情報を要求するための取得要求情報であって、前記ユーザを識別するためのユーザ識別情報を少なくとも含む前記取得要求情報を受信する取得要求情報受信手段と、
前記取得要求情報受信手段により受信された前記取得要求情報に基づき前記蓄積手段に蓄積されている前記番組情報および前記広告情報を読み出し、前記携帯型情報端末装置に提供する提供手段と
を備え、
前記携帯型情報端末装置は、
前記番組情報提供装置に前記取得要求情報を送信する取得要求情報送信手段と、
前記取得要求情報を送信したことに対応して前記番組情報提供装置から提供される前記番組情報および前記広告情報を取得する取得手段と、
前記取得手段により取得された前記番組情報に基づいて、所定の番組の録画予約を行うための予約情報を設定する設定手段と、
前記設定手段により設定された前記予約情報を送信する予約情報送信手段と
を備え、
前記情報処理装置は、
前記予約情報を受信する予約情報受信手段と、
前記予約情報受信手段により受信された前記予約情報に基づいて、前記番組の録画を制御する録画制御手段と
を備える情報処理システム。
【請求項９】
前記提供手段は、読み出した前記番組情報および前記広告情報を、前記携帯型情報端末装置に対応する所定のファイル形式のデータに変換して前記携帯型情報端末装置に提供する
請求項８に記載の情報処理システム。
【請求項１０】
番組に関する番組情報を提供する番組情報提供装置と接続される携帯型情報端末装置において、
前記番組情報を要求するための取得要求情報であって、前記携帯型情報端末装置のユーザを識別するためのユーザ識別情報を少なくとも含む前記取得要求情報を前記番組情報提供装置に送信する取得要求情報送信手段と、
前記取得要求情報を送信したことに対応して前記番組情報提供装置から提供される前記番組情報を取得する取得手段と、
前記取得手段により取得された前記番組情報を表示する表示手段と、
前記表示手段により表示されている前記番組情報から、ユーザが実行した操作の入力に基づいて、所定の番組の録画予約を行うための予約情報を設定する設定手段と、
前記設定手段により設定された前記予約情報を送信する予約情報送信手段と
を備える携帯型情報端末装置。
【請求項１１】
前記番組情報には、前記番組情報に関する番組詳細情報が含まれており、かつ、広告情報が関連付けられており、
前記取得手段により取得された前記番組情報に前記広告情報が関連付けられているか否かを判定する判定手段をさらに備え、
前記判定手段による判定の結果、前記番組情報に前記広告情報が関連付けられていないと判定された場合、前記表示手段は、前記番組情報を表示させない
請求項１０に記載の携帯型情報端末装置。
【請求項１２】
前記番組詳細情報には、前記番組情報に関連する関連情報の存在場所を示す指標もしくは問い合わせ先に関する情報が含まれている
請求項１１に記載の携帯型情報端末装置。
【請求項１３】
前記広告情報には、前記広告情報に関する広告詳細情報が含まれており、
前記広告詳細情報には、前記広告情報に関連する関連情報の存在場所を示す指標もしくは問い合わせ先に関する情報が含まれている
請求項１１に記載の携帯型情報端末装置。
【請求項１４】
前記番組情報には、広告情報が関連付けられており、
前記広告情報には、期限に関する期限情報が含まれており、
前記広告情報に含まれる期限情報の期限が過ぎたか否かを判定する判定手段と、
前記判定手段による判定結果に基づいて、前記番組情報の更新を行う更新手段と
をさらに備える請求項１０に記載の携帯型情報端末装置。
【請求項１５】
前記設定手段により設定された前記予約情報を記憶する記憶手段と、
情報の授受を制御する制御手段と
をさらに備え、
前記予約情報送信手段は、前記制御手段による制御に基づいて、前記記憶手段に記憶されている前記予約情報を送信する
請求項１０に記載の携帯型情報端末装置。
【請求項１６】
前記取得手段により取得される前記番組情報を指定するための詳細情報を登録する登録手段をさらに備え、
前記表示手段は、前記登録手段により登録された前記詳細情報をさらに表示する
請求項１０に記載の携帯型情報端末装置。
【請求項１７】
前記詳細情報は、地域、チャンネル、またはユーザ識別情報を含む
請求項１６に記載の携帯型情報端末装置。
【請求項１８】
前記登録手段は、複数の前記詳細情報を登録し、
前記取得手段は、前記登録手段により登録された複数の前記詳細情報に対応する前記番組情報をそれぞれ取得する
請求項１６に記載の携帯型情報端末装置。
【請求項１９】
前記取得手段により前記詳細情報に対応する前記番組情報が取得された場合、前記表示手段は、前記詳細情報に対応付けて所定のマークをさらに表示する
請求項１６に記載の携帯型情報端末装置。
【請求項２０】
情報の授受を制御する制御手段と、
前記制御手段による制御に基づいて、前記予約情報送信手段により送信された前記予約情報に含まれる前記所定の番組の予約状態に関するメッセージを受信する受信手段と
をさらに備え、
前記表示手段は、前記受信手段により受信された前記メッセージを基に、前記詳細情報に対応付けて所定のマークをさらに表示する
請求項１６に記載の携帯型情報端末装置。
【請求項２１】
前記予約情報に基づき録画された前記番組を、所定のファイル形式に変換された画像データで受信する受信手段をさらに備え、
前記表示手段は、前記受信手段により受信された前記画像データをさらに表示する
請求項１０に記載の携帯型情報端末装置。
【請求項２２】
前記ユーザの予定が登録される予定表を管理する管理手段と、
前記設定手段により設定された前記予約情報を、前記管理手段により管理されている前記予定表に書き込むか否かを判定する判定手段と、
前記判定手段による判定結果に基づいて、前記管理手段により管理されている前記予定表に、前記設定手段により設定された前記予約情報を書き込む書き込み手段と
をさらに備え、
前記表示手段は、前記書き込み手段により書き込まれた前記予約情報を含む前記予定表をさらに表示する
請求項１０に記載の携帯型情報端末装置。
【請求項２３】
前記予約情報送信手段は、前記予約情報に対応する予約信号を変調した赤外線を送信する
請求項１０に記載の携帯型情報端末装置。
【請求項２４】
前記予約情報送信手段は、前記予約情報に対応する予約信号を変調した電波を送信する
請求項１０に記載の携帯型情報端末装置。
【請求項２５】
前記予約情報送信手段は、ネットワークを介して前記予約情報を送信する
請求項１０に記載の携帯型情報端末装置。
【請求項２６】
前記設定手段により設定されている前記予約情報の更新を行う更新手段をさらに備える
請求項１０に記載の携帯型情報端末装置。
【請求項２７】
前記取得要求情報は、前記取得要求情報により要求される前記番組情報に対応する地域を表す地域情報も含む
請求項１０に記載の携帯型情報端末装置。
【請求項２８】
番組に関する番組情報を提供する番組情報提供装置と接続される携帯型情報端末装置の情報処理方法において、
前記番組情報を要求するための取得要求情報であって、前記携帯型情報端末装置のユーザを識別するためのユーザ識別情報を少なくとも含む前記取得要求情報を前記番組情報提供装置に送信する取得要求情報送信ステップと、
前記取得要求情報を送信したことに対応して前記番組情報提供装置から提供される前記番組情報を取得する取得ステップと、
前記取得ステップの処理により取得された前記番組情報の表示を制御する表示制御ステップと、
前記表示制御ステップの処理により表示が制御されている前記番組情報から、ユーザが実行した操作の入力に基づいて、所定の番組の録画予約を行うための予約情報を設定する設定ステップと、
前記設定ステップの処理により設定された前記予約情報を送信する予約情報送信ステップと
を含む情報処理方法。
【請求項２９】
番組に関する番組情報を提供する番組情報提供装置と接続される携帯型情報端末装置のコンピュータを制御するためのプログラムであって、
前記番組情報を要求するための取得要求情報であって、前記携帯型情報端末装置のユーザを識別するためのユーザ識別情報を少なくとも含む前記取得要求情報を前記番組情報提供装置に送信する取得要求情報送信ステップと、
前記取得要求情報を送信したことに対応して前記番組情報提供装置から提供される前記番組情報を取得する取得ステップと、
前記取得ステップの処理により取得された前記番組情報の表示を制御する表示制御ステップと、
前記表示制御ステップの処理により表示が制御されている前記番組情報から、ユーザが実行した操作の入力に基づいて、所定の番組の録画予約を行うための予約情報を設定する設定ステップと、
前記設定ステップの処理により設定された前記予約情報を送信する予約情報送信ステップと
を含む処理をコンピュータに実行させるためのプログラムを記録したコンピュータ読み取り可能なプログラム記録媒体。
【請求項３０】
番組に関する番組情報を提供する番組情報提供装置と接続される携帯型情報端末装置のコンピュータを制御するためのプログラムであって、
前記番組情報を要求するための取得要求情報であって、前記携帯型情報端末装置のユーザを識別するためのユーザ識別情報を少なくとも含む前記取得要求情報を前記番組情報提供装置に送信する取得要求情報送信ステップと、
前記取得要求情報を送信したことに対応して前記番組情報提供装置から提供される前記番組情報を取得する取得ステップと、
前記取得ステップの処理により取得された前記番組情報の表示を制御する表示制御ステップと、
前記表示制御ステップの処理により表示が制御されている前記番組情報から、ユーザが実行した操作の入力に基づいて、所定の番組の録画予約を行うための予約情報を設定する設定ステップと、
前記設定ステップの処理により設定された前記予約情報を送信する予約情報送信ステップと
を含む処理をコンピュータに実行させるためのプログラム。
【請求項３１】
ネットワークを介して携帯型情報端末装置に番組に関する番組情報を提供する番組情報提供装置において、
前記番組情報および広告情報を蓄積する蓄積手段と、
前記携帯型情報端末装置から、前記番組情報を要求するための取得要求情報であって、前記携帯型情報端末装置のユーザを識別するためのユーザ識別情報を少なくとも含む前記取得要求情報を受信する取得要求情報受信手段と、
前記取得要求情報受信手段により受信された前記取得要求情報に基づき前記蓄積手段に蓄積されている前記番組情報および前記広告情報を読み出し、前記携帯型情報端末装置に対応する所定のファイル形式のデータに変換する変換手段と、
前記変換手段により変換された前記データを、前記ネットワークを介して前記携帯型情報端末装置に提供する提供手段と
を備え、
前記番組情報は、前記携帯型情報端末装置とは異なる情報処理装置に前記番組情報に対応する番組の録画予約を行なわせるための情報である
番組情報提供装置。
【請求項３２】
前記広告情報の掲載料を算出し、前記広告情報の広告主に対して課金する課金手段をさらに備える
請求項３１に記載の番組情報提供装置。
【請求項３３】
前記蓄積手段は、前記携帯型情報端末装置を所有する前記ユーザに関するユーザ情報をさらに蓄積する
請求項３１に記載の番組情報提供装置。
【請求項３４】
前記番組情報には、前記番組情報に関する番組詳細情報が含まれており、
前記広告情報には、前記広告情報に関する広告詳細情報が含まれている
請求項３１に記載の番組情報提供装置。
【請求項３５】
前記番組詳細情報には、前記番組情報に関連する関連情報の存在場所を示す指標もしくは問い合わせ先に関する情報が含まれている
請求項３４に記載の番組情報提供装置。
【請求項３６】
前記広告詳細情報には、前記広告情報に関連する関連情報の存在場所を示す指標もしくは問い合わせ先に関する情報が含まれている
請求項３４に記載の番組情報提供装置。
【請求項３７】
前記広告情報には、期限に関する期限情報が含まれている
請求項３１に記載の番組情報提供装置。
【請求項３８】
前記取得要求情報は、前記取得要求情報により要求される前記番組情報に対応する地域を表す地域情報も含む
請求項３１に記載の番組情報提供装置。
【請求項３９】
ネットワークを介して携帯型情報端末装置に番組に関する番組情報を提供する番組情報提供装置の番組情報提供方法において、
前記携帯型情報端末装置から、前記番組情報を要求するための取得要求情報であって、前記携帯型情報端末装置のユーザを識別するためのユーザ識別情報を少なくとも含む前記取得要求情報を受信する取得要求情報受信ステップと、
前記取得要求情報受信ステップの処理により受信された前記取得要求情報に基づき、前記番組情報および広告情報を蓄積する蓄積手段に蓄積されている前記番組情報および前記広告情報を読み出し、前記携帯型情報端末装置に対応する所定のファイル形式のデータに変換する変換ステップと、
前記変換ステップの処理により変換された前記データを、前記ネットワークを介して前記携帯型情報端末装置に提供する提供ステップと
を含み、
前記番組情報は、前記携帯型情報端末装置とは異なる情報処理装置に前記番組情報に対応する番組の録画予約を行なわせるための情報である
番組情報提供方法。
【請求項４０】
ネットワークを介して携帯型情報端末装置に番組に関する番組情報を提供する番組情報提供装置のコンピュータを制御するためのプログラムであって、
前記携帯型情報端末装置から、前記番組情報を要求するための取得要求情報であって、前記携帯型情報端末装置のユーザを識別するためのユーザ識別情報を少なくとも含む前記取得要求情報を受信する取得要求情報受信ステップと、
前記取得要求情報受信ステップの処理により受信された前記取得要求情報に基づき、前記番組情報および広告情報を蓄積する蓄積手段に蓄積されている前記番組情報および前記広告情報を読み出し、前記携帯型情報端末装置に対応する所定のファイル形式のデータに変換する変換ステップと、
前記変換ステップの処理により変換された前記データを、前記ネットワークを介して前記携帯型情報端末装置に提供する提供ステップと
を含み、
前記番組情報は、前記携帯型情報端末装置とは異なる情報処理装置に前記番組情報に対応する番組の録画予約を行なわせるための情報である
処理をコンピュータに実行させるためのプログラムを記録したコンピュータ読み取り可能なプログラム記録媒体。
【請求項４１】
ネットワークを介して携帯型情報端末装置に番組に関する番組情報を提供する番組情報提供装置のコンピュータを制御するためのプログラムであって、
前記携帯型情報端末装置から、前記番組情報を要求するための取得要求情報であって、前記携帯型情報端末装置のユーザを識別するためのユーザ識別情報を少なくとも含む前記取得要求情報を受信する取得要求情報受信ステップと、
前記取得要求情報受信ステップの処理により受信された前記取得要求情報に基づき、前記番組情報および広告情報を蓄積する蓄積手段に蓄積されている前記番組情報および前記広告情報を読み出し、前記携帯型情報端末装置に対応する所定のファイル形式のデータに変換する変換ステップと、
前記変換ステップの処理により変換された前記データを、前記ネットワークを介して前記携帯型情報端末装置に提供する提供ステップと
を含み、
前記番組情報は、前記携帯型情報端末装置とは異なる情報処理装置に前記番組情報に対応する番組の録画予約を行なわせるための情報である
処理をコンピュータに実行させるためのプログラム。
【発明の詳細な説明】
【技術分野】
【０００１】
本発明は、情報処理システム、携帯型情報端末装置および情報処理方法、番組情報提供装置および番組情報提供方法、プログラム記録媒体、並びにプログラムに関し、特に、ＰＤＡなどの携帯型情報端末装置を用いて、所望の番組を録画予約することができるようにした情報処理システム、携帯型情報端末装置および情報処理方法、番組情報提供装置および番組情報提供方法、プログラム記録媒体、並びにプログラムに関する。
【背景技術】
【０００２】
従来のテレビジョン番組の録画装置であるＶＴＲ（Video Tape Recorder）においては、例えば、ユーザが、Ｇコード（Gemstar Development社の商標）を用いて、番組の録画予約を設定する技術がある。この技術は、例えばユーザが、リモートコマンダを用いて、録画したい番組に対応付けられているＧコードを入力し、赤外線信号としてＶＴＲ（Video Tape Recorder）に送出する。赤外線信号を受信したＶＴＲは、Ｇコードを復号し、放送日、放送局名、番組名、開始時刻、終了時刻などを分析し、録画予約を設定する。
【０００３】
このような技術が、例えば、ＵＳＰ５３３５０７９またはＵＳＰ５３０７１７３に開示されている。
【発明の概要】
【発明が解決しようとする課題】
【０００４】
しかしながら、上記公報に開示されているＧコードを用いる録画予約設定方法は、例えば、新聞や雑誌などに掲載されている番組表から、所望の番組に対応付けられている最大８桁のＧコードを手動入力する必要があり、操作が煩雑であった。
【０００５】
また、最近、インターネット上の番組予約サイトを利用して、テレビジョン番組の録画予約を行うシステムのサービスが開始されている。この録画システムにおいては、ユーザが、例えば、ＰＤＡ（Personal Digital Assistant）などの携帯型情報端末装置や、パーソナルコンピュータを用いて番組情報（いわゆる番組表）を提供するサービスを行う番組予約サイトにアクセスし、番組情報を確認しながら、所望の番組を検索する。そして、所望の番組が検索されたとき、予約ボタンを操作し、放送局名、番組名、開始時刻、終了時刻などが記述された番組情報をダウンロードすることができる。
【０００６】
しかしながら、上述した録画予約システムでは、ユーザが、いわゆる番組表を、ＰＤＡもしくはパーソナルコンピュータなどに表示させ、その番組表を確認しながら所望の番組を検索するまで、番組予約サイトにアクセスし続けなければならず、オンラインの検索では、時間がかかり、かつ、通信費が嵩む課題があった。
【０００７】
本発明はこのような状況に鑑みてなされたものであり、携帯型情報端末装置を用いて、情報を予め取得して記録し、ユーザが希望した時にオフラインで所望の番組を検索し、番組の録画予約を設定することができるようにするものである。
【課題を解決するための手段】
【０００８】
本発明の第１の側面における第１の情報処理システムは、番組に関する番組情報を提供する番組情報提供装置と、ユーザが所有する携帯型情報端末装置と、録画再生機能を有する情報処理装置とからなる情報処理システムであって、前記番組情報提供装置は、前記番組情報を蓄積する蓄積手段と、前記携帯型情報端末装置から、前記番組情報を要求するための取得要求情報であって、前記ユーザを識別するためのユーザ識別情報を少なくとも含む前記取得要求情報を受信する取得要求情報受信手段と、前記取得要求情報受信手段により受信された前記取得要求情報に基づき前記蓄積手段に蓄積されている前記番組情報を読み出し、前記携帯型情報端末装置に提供する提供手段とを備え、前記携帯型情報端末装置は、前記番組情報提供装置に前記取得要求情報を送信する取得要求情報送信手段と、前記取得要求情報を送信したことに対応して前記番組情報提供装置から提供される前記番組情報を取得する取得手段と、前記取得手段により取得された前記番組情報に基づいて、所定の番組の録画予約を行うための予約情報を設定する設定手段と、前記設定手段により設定された前記予約情報を送信する予約情報送信手段とを備え、前記情報処理装置は、前記予約情報を受信する予約情報受信手段と、前記予約情報受信手段により受信された前記予約情報に基づいて、前記番組の録画を制御する録画制御手段とを備える情報処理システムである。
【０００９】
前記提供手段には、読み出した前記番組情報を、前記携帯型情報端末装置に対応する所定のファイル形式のデータに変換して前記携帯型情報端末装置に提供させることができる。
【００１０】
前記携帯型情報端末装置には、前記設定手段により設定された前記予約情報に対応する予約信号を生成する生成手段をさらに設けることができ、前記予約情報送信手段には、前記生成手段により生成された前記予約信号を変調した赤外線を前記情報処理装置に送信させることができる。
【００１１】
前記携帯型情報端末装置には、前記設定手段により設定された前記予約情報に対応する予約信号を生成する生成手段をさらに設けることができ、前記予約情報送信手段には、前記生成手段により生成された前記予約信号を変調した電波を前記情報処理装置に送信させることができる。
【００１２】
前記取得要求情報には、前記取得要求情報により要求される前記番組情報に対応する地域を表す地域情報も含ませるようにすることができる。
【００１３】
前記携帯型情報端末装置には、前記取得手段により取得された前記番組情報を表示する表示手段をさらに設けるようにすることができる。
【００１４】
前記携帯型情報端末装置には、前記所定の番組の録画履歴を受信する録画履歴受信手段をさらに設けることができ、前記表示手段には、前記録画履歴受信手段により受信された前記録画履歴に基づいて、前記番組情報を変更して表示することができる。
【００１５】
本発明の第１の側面によれば、前記番組情報提供装置で、前記番組情報が蓄積され、前記携帯型情報端末装置から、前記番組情報を要求するための取得要求情報であって、前記ユーザを識別するためのユーザ識別情報を少なくとも含む前記取得要求情報が受信され、受信された前記取得要求情報に基づき、蓄積されている前記番組情報が読み出され、前記携帯型情報端末装置に提供され、前記携帯型情報端末装置で、前記番組情報提供装置に前記取得要求情報が送信され、前記取得要求情報が送信されたことに対応して前記番組情報提供装置から提供される前記番組情報が取得され、取得された前記番組情報に基づいて、所定の番組の録画予約を行うための予約情報が設定され、設定された前記予約情報が送信され、前記情報処理装置で、前記予約情報が受信され、受信された前記予約情報に基づいて、前記番組の録画が制御される。
【００１６】
本発明の第２の側面における第２の情報処理システムは、番組に関する番組情報を提供する番組情報提供装置と、ユーザが所有する携帯型情報端末装置と、録画再生機能を有する情報処理装置とからなる情報処理システムであって、前記番組情報提供装置は、前記番組情報および広告情報を蓄積する蓄積手段と、前記携帯型情報端末装置から、前記番組情報を要求するための取得要求情報であって、前記ユーザを識別するためのユーザ識別情報を少なくとも含む前記取得要求情報を受信する取得要求情報受信手段と、前記取得要求情報受信手段により受信された前記取得要求情報に基づき前記蓄積手段に蓄積されている前記番組情報および前記広告情報を読み出し、前記携帯型情報端末装置に提供する提供手段とを備え、前記携帯型情報端末装置は、前記番組情報提供装置に前記取得要求情報を送信する取得要求情報送信手段と、前記取得要求情報を送信したことに対応して前記番組情報提供装置から提供される前記番組情報および前記広告情報を取得する取得手段と、前記取得手段により取得された前記番組情報に基づいて、所定の番組の録画予約を行うための予約情報を設定する設定手段と、前記設定手段により設定された前記予約情報を送信する予約情報送信手段とを備え、前記情報処理装置は、前記予約情報を受信する予約情報受信手段と、前記予約情報受信手段により受信された前記予約情報に基づいて、前記番組の録画を制御する録画制御手段とを備える情報処理システムである。
【００１７】
前記提供手段には、読み出した前記番組情報および前記広告情報を、前記携帯型情報端末装置に対応する所定のファイル形式のデータに変換して前記携帯型情報端末装置に提供させることができる。
【００１８】
本発明の第２の側面によれば、前記番組情報提供装置で、前記番組情報および広告情報が蓄積され、前記携帯型情報端末装置から、前記番組情報を要求するための取得要求情報であって、前記ユーザを識別するためのユーザ識別情報を少なくとも含む前記取得要求情報が受信され、受信された前記取得要求情報に基づき、蓄積されている前記番組情報および前記広告情報が読み出され、前記携帯型情報端末装置に提供され、前記携帯型情報端末装置で、前記番組情報提供装置に前記取得要求情報が送信され、前記取得要求情報が送信されたことに対応して前記番組情報提供装置から提供される前記番組情報および前記広告情報が取得され、取得された前記番組情報に基づいて、所定の番組の録画予約を行うための予約情報が設定され、設定された前記予約情報が送信され、前記情報処理装置で、前記予約情報が受信され、受信された前記予約情報に基づいて、前記番組の録画が制御される。
【００１９】
本発明の第３の側面における携帯型情報端末装置は、番組に関する番組情報を提供する番組情報提供装置と接続される携帯型情報端末装置であって、前記番組情報を要求するための取得要求情報であって、前記携帯型情報端末装置のユーザを識別するためのユーザ識別情報を少なくとも含む前記取得要求情報を前記番組情報提供装置に送信する取得要求情報送信手段と、前記取得要求情報を送信したことに対応して前記番組情報提供装置から提供される前記番組情報を取得する取得手段と、前記取得手段により取得された前記番組情報を表示する表示手段と、前記表示手段により表示されている前記番組情報から、ユーザが実行した操作の入力に基づいて、所定の番組の録画予約を行うための予約情報を設定する設定手段と、前記設定手段により設定された前記予約情報を送信する予約情報送信手段とを備える携帯型情報端末装置である。
【００２０】
前記番組情報には、前記番組情報に関する番組詳細情報が含まれており、かつ、広告情報が関連付けられており、前記取得手段により取得された前記番組情報に前記広告情報が関連付けられているか否かを判定する判定手段をさらに設けることができ、前記判定手段による判定の結果、前記番組情報に前記広告情報が関連付けられていないと判定された場合、前記表示手段には、前記番組情報を表示させないようにすることができる。
【００２１】
前記番組詳細情報には、前記番組情報に関連する関連情報の存在場所を示す指標もしくは問い合わせ先に関する情報が含まれているようにすることができる。
【００２２】
前記広告情報には、前記広告情報に関する広告詳細情報が含まれており、前記広告詳細情報には、前記広告情報に関連する関連情報の存在場所を示す指標もしくは問い合わせ先に関する情報が含まれているようにすることができる。
【００２３】
前記番組情報には、広告情報が関連付けられており、前記広告情報には、期限に関する期限情報が含まれており、前記広告情報に含まれる期限情報の期限が過ぎたか否かを判定する判定手段と、前記判定手段による判定結果に基づいて、前記番組情報の更新を行う更新手段とをさらに設けるようにすることができる。
【００２４】
前記設定手段により設定された前記予約情報を記憶する記憶手段と、情報の授受を制御する制御手段とをさらに設けることができ、前記予約情報送信手段には、前記制御手段による制御に基づいて、前記記憶手段に記憶されている前記予約情報を送信させることができる。
【００２５】
前記取得手段により取得される前記番組情報を指定するための詳細情報を登録する登録手段をさらに設けることができ、前記表示手段には、前記登録手段により登録された前記詳細情報をさらに表示させることができる。
【００２６】
前記詳細情報には、地域、チャンネル、またはユーザ識別情報を含ませることができる。
【００２７】
前記登録手段には、複数の前記詳細情報を登録させ、前記取得手段には、前記登録手段により登録された複数の前記詳細情報に対応する前記番組情報をそれぞれ取得させることができる。
【００２８】
前記取得手段により前記詳細情報に対応する前記番組情報が取得された場合、前記表示手段には、前記詳細情報に対応付けて所定のマークをさらに表示させることができる。
【００２９】
情報の授受を制御する制御手段と、前記制御手段による制御に基づいて、前記予約情報送信手段により送信された前記予約情報に含まれる前記所定の番組の予約状態に関するメッセージを受信する受信手段とをさらに設けることができ、前記表示手段には、前記受信手段により受信された前記メッセージを基に、前記詳細情報に対応付けて所定のマークをさらに表示させることができる。
【００３０】
前記予約情報に基づき録画された前記番組を、所定のファイル形式に変換された画像データで受信する受信手段をさらに設けることができ、前記表示手段には、前記受信手段により受信された前記画像データをさらに表示させることができる。
【００３１】
前記ユーザの予定が登録される予定表を管理する管理手段と、前記設定手段により設定された前記予約情報を、前記管理手段により管理されている前記予定表に書き込むか否かを判定する判定手段と、前記判定手段による判定結果に基づいて、前記管理手段により管理されている前記予定表に、前記設定手段により設定された前記予約情報を書き込む書き込み手段とをさらに設けることができ、前記表示手段には、前記書き込み手段により書き込まれた前記予約情報を含む前記予定表をさらに表示させることができる。
【００３２】
前記予約情報送信手段には、前記予約情報に対応する予約信号を変調した赤外線を送信させることができる。
【００３３】
前記予約情報送信手段には、前記予約情報に対応する予約信号を変調した電波を送信させることができる。
【００３４】
前記予約情報送信手段には、ネットワークを介して前記予約情報を送信させることができる。
【００３５】
前記設定手段により設定されている前記予約情報の更新を行う更新手段をさらに設けることができる。
【００３６】
前記取得要求情報には、前記取得要求情報により要求される前記番組情報に対応する地域を表す地域情報も含ませるようにすることができる。
【００３７】
本発明の第３の側面における情報処理方法は、番組に関する番組情報を提供する番組情報提供装置と接続される携帯型情報端末装置の情報処理方法であって、前記番組情報を要求するための取得要求情報であって、前記携帯型情報端末装置のユーザを識別するためのユーザ識別情報を少なくとも含む前記取得要求情報を前記番組情報提供装置に送信する取得要求情報送信ステップと、前記取得要求情報を送信したことに対応して前記番組情報提供装置から提供される前記番組情報を取得する取得ステップと、前記取得ステップの処理により取得された前記番組情報の表示を制御する表示制御ステップと、前記表示制御ステップの処理により表示が制御されている前記番組情報から、ユーザが実行した操作の入力に基づいて、所定の番組の録画予約を行うための予約情報を設定する設定ステップと、前記設定ステップの処理により設定された前記予約情報を送信する予約情報送信ステップとを含む情報処理方法である。
【００３８】
本発明の第３の側面における第１のプログラム記録媒体は、番組に関する番組情報を提供する番組情報提供装置と接続される携帯型情報端末装置のコンピュータを制御するためのプログラムであって、前記番組情報を要求するための取得要求情報であって、前記携帯型情報端末装置のユーザを識別するためのユーザ識別情報を少なくとも含む前記取得要求情報を前記番組情報提供装置に送信する取得要求情報送信ステップと、前記取得要求情報を送信したことに対応して前記番組情報提供装置から提供される前記番組情報を取得する取得ステップと、前記取得ステップの処理により取得された前記番組情報の表示を制御する表示制御ステップと、前記表示制御ステップの処理により表示が制御されている前記番組情報から、ユーザが実行した操作の入力に基づいて、所定の番組の録画予約を行うための予約情報を設定する設定ステップと、前記設定ステップの処理により設定された前記予約情報を送信する予約情報送信ステップとを含む処理をコンピュータに実行させるためのプログラムを記録したコンピュータ読み取り可能なプログラム記録媒体である。
【００３９】
本発明の第３の側面における第１のプログラムは、番組に関する番組情報を提供する番組情報提供装置と接続される携帯型情報端末装置のコンピュータを制御するためのプログラムであって、前記番組情報を要求するための取得要求情報であって、前記携帯型情報端末装置のユーザを識別するためのユーザ識別情報を少なくとも含む前記取得要求情報を前記番組情報提供装置に送信する取得要求情報送信ステップと、前記取得要求情報を送信したことに対応して前記番組情報提供装置から提供される前記番組情報を取得する取得ステップと、前記取得ステップの処理により取得された前記番組情報の表示を制御する表示制御ステップと、前記表示制御ステップの処理により表示が制御されている前記番組情報から、ユーザが実行した操作の入力に基づいて、所定の番組の録画予約を行うための予約情報を設定する設定ステップと、前記設定ステップの処理により設定された前記予約情報を送信する予約情報送信ステップとを含む処理をコンピュータに実行させるためのプログラムである。
【００４０】
本発明の第３の側面によれば、前記番組情報を要求するための取得要求情報であって、前記携帯型情報端末装置のユーザを識別するためのユーザ識別情報を少なくとも含む前記取得要求情報が前記番組情報提供装置に送信され、前記取得要求情報が送信されたことに対応して前記番組情報提供装置から提供される前記番組情報が取得され、取得された前記番組情報が表示され、表示されている前記番組情報から、ユーザが実行した操作の入力に基づいて、所定の番組の録画予約を行うための予約情報が設定され、設定された前記予約情報が送信される。
【００４１】
本発明の第４の側面における番組情報提供装置は、ネットワークを介して携帯型情報端末装置に番組に関する番組情報を提供する番組情報提供装置であって、前記番組情報および広告情報を蓄積する蓄積手段と、前記携帯型情報端末装置から、前記番組情報を要求するための取得要求情報であって、前記携帯型情報端末装置のユーザを識別するためのユーザ識別情報を少なくとも含む前記取得要求情報を受信する取得要求情報受信手段と、前記取得要求情報受信手段により受信された前記取得要求情報に基づき前記蓄積手段に蓄積されている前記番組情報および前記広告情報を読み出し、前記携帯型情報端末装置に対応する所定のファイル形式のデータに変換する変換手段と、前記変換手段により変換された前記データを、前記ネットワークを介して前記携帯型情報端末装置に提供する提供手段とを備え、前記番組情報は、前記携帯型情報端末装置とは異なる情報処理装置に前記番組情報に対応する番組の録画予約を行なわせるための情報である番組情報提供装置である。
【００４２】
前記広告情報の掲載料を算出し、前記広告情報の広告主に対して課金する課金手段をさらに設けることができる。
【００４３】
前記蓄積手段には、前記携帯型情報端末装置を所有する前記ユーザに関するユーザ情報をさらに蓄積させることができる。
【００４４】
前記番組情報には、前記番組情報に関する番組詳細情報が含まれており、前記広告情報には、前記広告情報に関する広告詳細情報が含まれているようにすることができる。
【００４５】
前記番組詳細情報には、前記番組情報に関連する関連情報の存在場所を示す指標もしくは問い合わせ先に関する情報が含まれているようにすることができる。
【００４６】
前記広告詳細情報には、前記広告情報に関連する関連情報の存在場所を示す指標もしくは問い合わせ先に関する情報が含まれているようにすることができる。
【００４７】
前記広告情報には、期限に関する期限情報が含まれているようにすることができる。
【００４８】
前記取得要求情報には、前記取得要求情報により要求される前記番組情報に対応する地域を表す地域情報も含ませるようにすることができる。
【００４９】
本発明の第４の側面における番組情報提供方法は、ネットワークを介して携帯型情報端末装置に番組に関する番組情報を提供する番組情報提供装置の番組情報提供方法であって、前記携帯型情報端末装置から、前記番組情報を要求するための取得要求情報であって、前記携帯型情報端末装置のユーザを識別するためのユーザ識別情報を少なくとも含む前記取得要求情報を受信する取得要求情報受信ステップと、前記取得要求情報受信ステップの処理により受信された前記取得要求情報に基づき、前記番組情報および広告情報を蓄積する蓄積手段に蓄積されている前記番組情報および前記広告情報を読み出し、前記携帯型情報端末装置に対応する所定のファイル形式のデータに変換する変換ステップと、前記変換ステップの処理により変換された前記データを、前記ネットワークを介して前記携帯型情報端末装置に提供する提供ステップとを含み、前記番組情報は、前記携帯型情報端末装置とは異なる情報処理装置に前記番組情報に対応する番組の録画予約を行なわせるための情報である番組情報提供方法である。
【００５０】
本発明の第４の側面における第２のプログラム記録媒体は、ネットワークを介して携帯型情報端末装置に番組に関する番組情報を提供する番組情報提供装置のコンピュータを制御するためのプログラムであって、前記携帯型情報端末装置から、前記番組情報を要求するための取得要求情報であって、前記携帯型情報端末装置のユーザを識別するためのユーザ識別情報を少なくとも含む前記取得要求情報を受信する取得要求情報受信ステップと、前記取得要求情報受信ステップの処理により受信された前記取得要求情報に基づき、前記番組情報および広告情報を蓄積する蓄積手段に蓄積されている前記番組情報および前記広告情報を読み出し、前記携帯型情報端末装置に対応する所定のファイル形式のデータに変換する変換ステップと、前記変換ステップの処理により変換された前記データを、前記ネットワークを介して前記携帯型情報端末装置に提供する提供ステップとを含み、前記番組情報は、前記携帯型情報端末装置とは異なる情報処理装置に前記番組情報に対応する番組の録画予約を行なわせるための情報である処理をコンピュータに実行させるためのプログラムを記録したコンピュータ読み取り可能なプログラム記録媒体である。
【００５１】
本発明の第４の側面における第２のプログラムは、ネットワークを介して携帯型情報端末装置に番組に関する番組情報を提供する番組情報提供装置のコンピュータを制御するためのプログラムであって、前記携帯型情報端末装置から、前記番組情報を要求するための取得要求情報であって、前記携帯型情報端末装置のユーザを識別するためのユーザ識別情報を少なくとも含む前記取得要求情報を受信する取得要求情報受信ステップと、前記取得要求情報受信ステップの処理により受信された前記取得要求情報に基づき、前記番組情報および広告情報を蓄積する蓄積手段に蓄積されている前記番組情報および前記広告情報を読み出し、前記携帯型情報端末装置に対応する所定のファイル形式のデータに変換する変換ステップと、前記変換ステップの処理により変換された前記データを、前記ネットワークを介して前記携帯型情報端末装置に提供する提供ステップとを含み、前記番組情報は、前記携帯型情報端末装置とは異なる情報処理装置に前記番組情報に対応する番組の録画予約を行なわせるための情報である処理をコンピュータに実行させるためのプログラムである。
【００５２】
本発明の第４の側面によれば、前記携帯型情報端末装置から、前記番組情報を要求するための取得要求情報であって、前記携帯型情報端末装置のユーザを識別するためのユーザ識別情報を少なくとも含む前記取得要求情報が受信され、受信された前記取得要求情報に基づき、蓄積されている前記番組情報および前記広告情報が読み出されて、前記携帯型情報端末装置に対応する所定のファイル形式のデータに変換され、変換された前記データが、前記ネットワークを介して前記携帯型情報端末装置に提供される。
【発明の効果】
【００５３】
本発明の第１乃至第４の側面によれば、ＰＤＡなどの携帯型情報端末装置を用いて、所望の番組を録画予約することができる。
【００５４】
また、本発明の第２及び第４の側面によれば、ユーザが所望する番組に関する番組情報を、広告情報とともに提供することができる。
【図面の簡単な説明】
【００５５】
【図１】本発明に係る番組データ取得システムの一実施の形態の構成例を示す図である。
【図２】図１のＰＤＡの外観の斜視図である。
【図３】図１のＰＤＡの外観の正面図である。
【図４】図１のＰＤＡの電気的な構成例を示すブロック図である。
【図５】図１のＰＤＡの機能ブロック図である。
【図６】図５の番組表メモリに記録される番組表のデータ構成を示す図である。
【図７】図１のパーソナルコンピュータの構成例を示すブロック図である。
【図８】図７の画像処理ボードの構成例を示すブロック図である。
【図９】図１のパーソナルコンピュータの機能ブロック図である。
【図１０】図１の番組情報サービスプロバイダの構成例を示すブロック図である。
【図１１】ＰＤＡの初期表示画面を示す図である。
【図１２】ＰＤＡの表示画面例を示す図である。
【図１３】ＰＤＡが番組情報サービスプロバイダから番組情報を取得する処理を説明するためのフローチャートである。
【図１４】番組情報管理画面について説明するための図である。
【図１５】番組情報管理画面のメニュー表示について説明するための図である。
【図１６】設定画面について説明するための図である。
【図１７】チャンネル設定画面について説明するための図である。
【図１８】番組取得予定日設定画面について説明するための図である。
【図１９】メッセージウィンドウの表示例を示す図である。
【図２０】番組情報管理画面の表示例を示す図である。
【図２１】変更ウィンドウの表示例を示す図である。
【図２２】番組情報管理画面のメニュー表示について説明するための図である。
【図２３】番組情報取得後に表示されるアイコンについて説明するための図である。
【図２４】ＰＤＡが、パーソナルコンピュータを介して、番組情報サービスプロバイダから番組情報を取得する処理を説明するためのフローチャートである。
【図２５】番組表画面の表示例を示す図である。
【図２６】番組表画面のメニュー表示について説明するための図である。
【図２７】番組表画面のメニュー表示について説明するための図である。
【図２８】メッセージウィンドウの表示例を示す図である。
【図２９】チャンネル一覧の表示例を示す図である。
【図３０】日付け一覧の表示例を示す図である。
【図３１】番組表の表示開始時間を設定するためのリストボックスの表示例を示す図である。
【図３２】広告詳細画面の表示例を示す図である。
【図３３】ウェブブラウザが起動された場合の表示画面の例を示す図である。
【図３４】電子メールプログラムが起動された場合の表示画面の例を示す図である。
【図３５】指定時間帯番組一覧の表示例を示す図である。
【図３６】録画予約設定処理を説明するフローチャートである。
【図３７】番組詳細画面の表示例を示す図である。
【図３８】予約表画面の表示例を示す図である。
【図３９】予定の詳細画面の表示例を示す図である。
【図４０】メッセージウィンドウの表示例を示す図である。
【図４１】録画の状態を示すアイコンの表示例を示す図である。
【図４２】予定表の変更処理について説明するためのフローチャートである。
【図４３】番組予約の予定が反映された予定表の表示例を示す図である。
【図４４】メニューの表示について説明するための図である。
【図４５】赤外線通信画面の表示例を示す図である。
【図４６】ＰＤＡが、赤外線通信を利用して、パーソナルコンピュータに録画指令を送出する処理について説明するためのフローチャートである。
【図４７】ＰＤＡによるリモートコントロール処理について説明するためのフローチャートである。
【図４８】リモートコマンダ表示画面の表示例を示す図である。
【図４９】パーソナルコンピュータに表示される録画予約設定画面の表示例を示す図である。
【図５０】パーソナルコンピュータに表示されるビデオレコーダウィンドウの表示例を示す図である。
【図５１】パーソナルコンピュータに表示されるＡＶコンテンツ管理検索画面の表示例を示す図である。
【図５２】パーソナルコンピュータからＰＤＡへコンテンツデータを送信する処理について説明するためのフローチャートである。
【図５３】コンテンツデータ受信・再生画面の表示例を示す図である。
【図５４】再生可能なコンテンツデータに対応するアイコンが表示された再生指示画面の表示例を示す図である。
【図５５】コンテンツの表示例を示す図である。
【図５６】ＡＶコンテンツ管理検索画面から、コンテンツ変換の処理を実行する場合について説明するための図である。
【発明を実施するための形態】
【００５６】
以下、図を参照して、本発明の実施の形態について説明する。
【００５７】
図１は、本発明を適応した番組データ取得システムの一実施の形態の構成例を示す図である。
【００５８】
ＰＤＡ１−１およびＰＤＡ１−２は、Palm OS（商標）を搭載した携帯型情報端末装置であり、デジタル携帯電話機２、パーソナルコンピュータ９、およびＶＣＲ（Video Cassette Recorder）１３と、有線、もしくは無線で接続可能になされている。図１においては、ＰＤＡ１−１が、図示しない通信モジュールを介して、デジタル携帯電話機２と有線で接続され、ＰＤＡ１−２がクレードル７を介してパーソナルコンピュータ９と有線で接続され、ＶＣＲ１３と無線で接続されている状態であるものとして図示しているが、ＰＤＡ１−１およびＰＤＡ１−２は、デジタル携帯電話機２、パーソナルコンピュータ９、もしくはＶＣＲ１３の、いずれの装置とも接続が可能であり、また、これらと接続せずに動作することが可能であることは言うまでもない。
【００５９】
以下、ＰＤＡ１−１およびＰＤＡ１−２を個々に区別する必要がない場合、単にＰＤＡ１と総称する。
【００６０】
クレードル７とは、ＰＤＡ１とパーソナルコンピュータ９とを接続し、ホットシンクと称される処理を実行するためのインターフェース装置である。ホットシンクとは、２つの異なるコンピュータの間でファイルやデータをシンクロナイズさせるものであり、Palm OSを搭載しているＰＤＡ１と、パーソナルコンピュータ９とで、機種を選ばず、ファイルやデータをシンクロナイズさせることが可能である。クレードル７とＰＤＡ１のインターフェースには、例えば、ＲＳ−２３２Ｃが用いられ、クレードル７とパーソナルコンピュータ９のインターフェースには、シリアルバスインターフェースやＵＳＢ（Universal Serial Bus）などが用いられる。
【００６１】
デジタル携帯電話２は、通信サービスの提供エリアを所望の広さに分割したセルにそれぞれ配置されている、固定無線端末である基地局３を介して、公衆回線網４に接続されている。また、公衆回線網４には、パーソナルコンピュータ９が接続されている。
【００６２】
基地局３は、移動無線端末であるデジタル携帯電話機２を、例えば、W-CDMA（Wideband-Code Division Multiple Access）と呼ばれる符号分割多元接続により無線接続し、デジタル携帯電話機２と、2GHzの周波数帯域を利用して最大2Mbpsのデータ転送速度で大容量データを高速にデータ通信できる。
【００６３】
また、基地局３は、有線回線を介して、公衆回線網４に接続されている。公衆回線網４は、インターネットサービスプロバイダのアクセスサーバ６を介してインターネット８に接続されているほか、図示せぬ加入者有線端末装置、コンピュータネットワーク、および企業内ネットワーク等に接続されている。
【００６４】
デジタル携帯電話機２は、基地局３とW-CDMA方式により大容量データを高速にデータ通信できるので、ＰＤＡ１は、デジタル携帯電話機２を介して、電子メールの送受信、簡易ホームページの閲覧、画像の送受信等の多種に及ぶデータ通信を実行することができる。
【００６５】
ＰＤＡ１−１は、デジタル携帯電話機２、基地局３、公衆回線網４、アクセスサーバ６、およびインターネット８を介して、番組情報サービスプロバイダ１４に接続されており、いわゆる番組表を閲覧したり、その番組表を用いて、所定のテレビジョン放送局の所定の番組の録画を予約するための番組情報の送信を要求することができる。パーソナルコンピュータ９は、ＰＤＡ１−１と同様に、公衆回線網４、アクセスサーバ６、およびインターネット８を介して、番組情報サービスプロバイダ１４に接続されており、いわゆる番組表を閲覧したり、その番組表を用いて、所定のテレビジョン放送局の所定の番組の録画を予約するための番組情報の送信を要求することができる。
【００６６】
図１においては、ＰＤＡ１−１がデジタル携帯電話機２および基地局３を介して、公衆回線網４と接続可能であるとして説明しているが、ＰＤＡ１−１は、デジタル携帯電話機２以外にも、例えば、ＰＨＳ（Personal Handyphone System）もしくはデータカード型ＰＨＳと、それらの通話サービスを提供するための所定の基地局を介して、公衆回線網４と接続することが可能である。
【００６７】
因みに、デジタル携帯電話機２と接続されたＰＤＡ１−１は、基地局３までを2Mbpsの簡易トランスポートプロトコルで通信し、基地局３から、インターネット８を介して、番組情報サービスプロバイダ１４および図示しないＷＷＷ（World Wide Web）サーバまでを、TCP/IP（Transmission Control Protocol/Internet Protocol）で通信する。
【００６８】
管理制御装置５は、公衆回線網４を介して、加入者有線端末装置、パーソナルコンピュータ９、またはデジタル携帯電話機２に接続され、加入者有線端末装置、パーソナルコンピュータ９、またはデジタル携帯電話機２に対する認証処理や課金処理などを実行する。
【００６９】
パーソナルコンピュータ９は、所定のテレビジョン放送局から送信された電波を受信したアンテナ８から供給される信号を入力し、所定の画像および音声（いわゆる、番組の画像および音声）を再生し、その画像および音声を記録する。パーソナルコンピュータ９はまた、ＶＣＲ１０から供給されたアナログ信号、またはIEEE（Institute of Electrical and Electronic Engineers）1394などのネットワーク１２を介してＤＶＣＲ（Digital Video Cassette Recorder）１１から供給されたデジタルデータに対応する画像および音声を再生し、その画像および音声を記録する。
【００７０】
また、パーソナルコンピュータ９は、記録している音声および画像に対応するアナログ信号をＶＣＲ１０に供給し、または、記録している音声および画像に対応するデジタルデータをＤＶＣＲ１１に供給する。さらに、パーソナルコンピュータ９は、番組情報サービスプロバイダ１４より、インターネット８を介して送信される番組情報を受信し、その番組情報をＰＤＡ１−２に出力したり、その番組情報を基に、所定の番組の録画予約を実行する。
【００７１】
番組情報サービスプロバイダ１４は、インターネット８を介して、いわゆる番組表および番組毎の詳細な紹介などをユーザに提示するサービスを提供する。番組情報サービスプロバイダ１４は、その内部に構築されているデータベースに、ＥＰＧ（Electronic Program Guide）情報（電子番組表）、および所定のテレビジョン放送局の所定の番組の録画を予約するための番組情報、番組情報とともに配布される広告情報、並びに、登録ユーザのユーザ情報を記録している。
【００７２】
番組情報サービスプロバイダ１４は、デジタル携帯電話機２に接続されたＰＤＡ１−１、もしくはパーソナルコンピュータ９から送信されてくる、所定のテレビジョン放送局の所定の番組の録画を予約するための、所定の日付けの番組情報の送信を要求するメッセージを受信して、インターネット８、アクセスサーバ６、および公衆回線網４を介して、番組情報を、デジタル携帯電話機２に接続されたＰＤＡ１−１、もしくはパーソナルコンピュータ９に送信する。
【００７３】
番組情報サービスプロバイダ１４は、パーソナルコンピュータ９およびＰＤＡ１からの要求に対応して、番組情報を、ｐｄｂ（Palm Database）方式のファイルとして提供する。従来の番組情報サービスプロバイダが提供していたウェブベースの番組情報は、例えば、ＨＴＭＬ（HyperText Markup Language）、ＸＭＬ（eXtensible Markup Language）、あるいは、Compact HTMLなどのページ記述言語で記述されていた。しかしながら、従来のページ記述言語で記述された番組情報は、汎用性はあるがデータ量が
多く、更に、タグにより階層構造を表現しているため、柔軟なフォーマットである半面、データを読み込むには、まず解析作業が必要であるので、ＰＤＡ１を用いて閲覧するのには適していない。
【００７４】
それに対して、ｐｄｂ形式は、PalmOS で扱える汎用的なＤＢフォーマットであり、バイナリデータおよびテキストデータを混在させて格納する事が出来るものである。また、そのフォーマットは、Palm OSのアプリケーションに依存する。ｐｄｂ形式のデータは、コンバータで指定されたフォーマットに変換するものであるので、データ解析が必要ないのみならず、余計なタグ情報もないので、データ量を最小に抑える事が出来る。
【００７５】
従来の地上波放送においては、放送される番組のチャンネル数は限られたものであった。しかしながら、現在では、衛星放送やケーブルテレビジョン放送などの普及により、放送の多チャンネル化が進んでいる。番組情報サービスプロバイダ１４が、衛星放送やケーブルテレビジョン放送などの、多チャンネルの放送サービスに対応して、全てのチャンネルの番組情報をユーザに提供してしまうと、そのデータ量は膨大なものとなり、表示画面の小さいＰＤＡ１を用いて番組情報を閲覧し、所望の番組を検索するのが、非常に困難となってしまう。
【００７６】
そこで、番組情報サービスプロバイダ１４は、ユーザから、希望するチャンネルの登録を予め受け付けておき、希望チャンネルが登録されているユーザに対しては、それぞれのユーザが必要としているチャンネルの番組情報を、登録されたユーザに送信するものとする。番組情報サービスプロバイダ１４は、希望チャンネルを登録しているユーザに対して、それぞれ固有のユーザＩＤを発行する。
【００７７】
番組情報サービスプロバイダ１４は、パーソナルコンピュータ９およびＰＤＡ１−１から、ユーザＩＤを含む番組情報送信要求を受けた場合、そのユーザが登録されているユーザか否かを判断し、登録されているユーザである場合、ユーザＩＤから登録内容を検索し、登録内容に基づいたチャンネルの番組情報を選択して、選択された番組情報を、指定された日付けに従って送信する。また、番組情報サービスプロバイダ１４は、ユーザＩＤを含まない番組情報送信要求を受けた場合、最も一般的に利用され、データの総量が比較的少ない地上波の番組情報を、指定された日付けに従って送信する。
【００７８】
これにより、番組情報サービスプロバイダ１４は、衛星放送やケーブルテレビジョン放送などの、多チャンネルの放送サービスに対応して、ユーザが所望する番組情報の提供を行うことが可能となる。
【００７９】
インターネット８にはまた、企業１５が有するパーソナルコンピュータ１６や、図示しない多数のＷＷＷサーバが接続されている。ここでは、企業１５が有するパーソナルコンピュータ１６を１つしか図示していないが、複数のパーソナルコンピュータ１６が接続されることは言うまでもない。図示しないＷＷＷサーバは、TCP/IPのプロトコルに従って、デジタル携帯電話機２と接続されたＰＤＡ１−１、パーソナルコンピュータ９、もしくは、企業１５が有するパーソナルコンピュータ１６からアクセスされる。
【００８０】
企業１５は、番組情報サービスプロバイダ１４が提供する番組情報に付随して配布される広告の広告主である。企業１５は、パーソナルコンピュータ１６を用いて、番組情報サービスプロバイダ１４に対して広告の掲載を依頼したり、広告費の請求を受ける。
【００８１】
また、企業１５は、パーソナルコンピュータ１６を用いて、インターネット８を介して、番組情報サービスプロバイダ１４に広告の掲載を依頼したり、広告費の請求を受けるのみならず、郵送、その他の方法を用いて（すなわち、オフラインで）、番組情報サービスプロバイダ１４に広告の掲載を依頼したり、広告費の請求を受けるようにしてもよい。
【００８２】
図２および図３は、ＰＤＡ１の外観の構成例を説明する図である。図２は、ユーザに把持されたときのＰＤＡ１の斜視図である。図３は、ＰＤＡ１の正面図である。
【００８３】
ＰＤＡ１は、片手で把持および操作が可能な大きさに、その筐体が形成されている。ＰＤＡ１の上部には、半導体メモリが内蔵されているメモリカード２１が挿入されるスロット、および赤外線通信を用いて、他の装置と情報を授受するための赤外線通信部２２が設けられている。更に、ＰＤＡ１には、図示しない無線ＬＡＮ（Local Area Network）通信部６４（図５）が設けられている。
【００８４】
ＰＤＡ１の下面には、公衆回線網４と接続するための図示せぬモデムおよび各種データを授受するＵＳＢポートもしくはＲＳ−２３２Ｃポート（図示せず）等が設けられている。ここでは、ＰＤＡ１には、ＲＳ−２３２Ｃポートが設けられているものとする。また、ＰＤＡ１には、表示部３１、キー３２、およびジョグダイヤル３３などが設けられている。
【００８５】
表示部３１は、液晶表示装置などの薄型の表示装置で構成され、アイコン、サムネイル、またはテキストなどの画像を表示する。表示部３１の下側には、タッチパッド３１ａが設けられている。ユーザは、表示部３１およびタッチパッド３１ａを指またはペンなどで押圧することにより、ＰＤＡ１に所定のデータまたは動作指示を入力する。
【００８６】
キー３２は、ＣＰＵ（Central Processing Unit）４１（図４）に各種の指令を入力するとき、ユーザにより操作される。
【００８７】
ジョグダイヤル３３は、例えば、表示部３１に表示されたアイコン、サムネイルまたはテキストなどがユーザによって選択されるとき、回転操作または本体側への押圧操作を受ける。例えば、表示部３１に複数のアイコンが表示されている状態で、ジョグダイヤル３３が回転操作を受けた場合、複数のアイコンの中から、所望のアイコンが選択され、ジョグダイヤル３３が本体側に押圧されたとき、選択されているアイコンが確定される。そして、確定されたアイコンがアプリケーションプログラムに対応している場合、そのアプリケーションプログラムが起動される。
【００８８】
また、ジョグダイヤル３３を本体側に押圧操作したまま回転させる操作を、通常の回転操作と異なる命令に対応させるようにしても良い。例えば、表示部３１に、所定のチャンネルの番組一覧が表示されている状態で、ジョグダイヤル３３が回転操作を受けた場合、複数の番組名の中から、所定の番組名が選択され、ジョグダイヤル３３が本体側に押圧操作されたまま回転された場合、表示部３１に表示されている番組一覧のチャンネルが変更される。
【００８９】
なお、ジョグダイヤル３３への操作と、その操作に対応する命令の内容は、この限りではない。
【００９０】
また、ＰＤＡ１は、クレードル７に装着可能なようになされている。ＰＤＡ１とクレードル７とは、例えば、ＲＳ−２３２Ｃなどのインターフェースを用いて接続され、ＰＤＡ１は、クレードル７に接続されている状態か否かを判断することができる。クレードル７は、ホットシンクボタン３５を有しており、ＰＤＡ１がクレードル７に接続されている状態で、ホットシンクボタン３５が押下された場合、ＰＤＡ１とパーソナルコンピュータ９は、ホットシンク処理を実行して、ファイルやデータをシンクロナイズさせる。
【００９１】
図４は、ＰＤＡ１の電気的な構成例を示すブロック図である。
【００９２】
ＣＰＵ４１は、発振器４２から供給されるクロック信号に同期して、Flash ROM（Read-only Memory）４３またはEDO DRAM（Extended Data Out Dynamic Random-Access Memory）４４に格納されているオペレーティングシステム、またはアプリケーションプログラムなどの各種のプログラムを実行する。
【００９３】
Flash ROM４３は、EEPROM（Electrically Erasable Programmable Read-Only Memory）の一種であるフラッシュメモリで構成され、一般的には、ＣＰＵ４１が使用するプログラムや演算用のパラメータのうちの基本的に固定のデータを格納する。EDO DRAM４４は、ＣＰＵ４１が実行するプログラムや、プログラムの実行に必要なデータ、あるいは、その実行において適宜変化するパラメータを格納する。
【００９４】
メモリカードインターフェース（I/F）４５は、ＰＤＡ１に装着されているメモリカード２１からデータを読み出すとともに、ＣＰＵ４１から供給されたデータをメモリカード２１に書き込む。
【００９５】
メモリカード２１は、例えば、メモリースティック（商標）と呼ばれる、本出願人によって開発されたフラッシュメモリカードの一種である。このメモリカード２１は、縦21.5×横50×厚さ2.8[mm] の小型薄型形状のプラスチックケース内に電気的に書換えや消去が可能な不揮発性メモリであるEEPROM（Electrically Erasable and Programmable Read Only Memory ）の一種であるフラッシュメモリ素子を格納したものであり、１０ピン端子を介して画像や音声、音楽等の各種データの書き込み及び読み出しが可能となっている。
【００９６】
また、メモリースティックは、大容量化等による内蔵フラッシュメモリの仕様変更に対しても、使用する機器で互換性を確保することができる独自のシリアルプロトコルを採用し、最大書込速度1.5[MB/S] 、最大読出速度2.45[MB/S]の高速性能を実現しているとともに、誤消去防止スイッチを設けて高い信頼性を確保している。
【００９７】
従って、ＰＤＡ１は、このようなメモリカード２１を装着可能に構成されているために、メモリカード２１を介して、他の電子機器との間でデータの共有化を図ることができる。
【００９８】
ＵＳＢインターフェース（I/F）４６は、発振器４７から供給されるクロック信号に同期して、接続されているＵＳＢ機器であるドライブ６１からデータまたはプログラムを入力するとともに、ＣＰＵ４１から供給されたデータをドライブ６１に供給する。
【００９９】
ドライブ６１は、必要に応じて装着される磁気ディスク７１、光ディスク７２、光磁気ディスク７３、または半導体メモリ１２４に記録されているデータまたはプログラムを読み出して、そのデータまたはプログラムを、ＵＳＢインターフェース４６を介して、ＣＰＵ４１またはEDO DRAM４４に供給する。また、ドライブ６１は、装着されている磁気ディスク７１、光ディスク７２、光磁気ディスク７３、または半導体メモリ１２４にデータまたはプログラムを記録させる。
【０１００】
Flash ROM４３，EDO DRAM４４、メモリカードインターフェース４５、およびＵＳＢインターフェース４６は、アドレスバスおよびデータバスを介して、ＣＰＵ４１に接続されている。
【０１０１】
表示部３１は、ＬＣＤバスを介して、ＣＰＵ４１からデータを受信し、受信したデータに対応する画像または文字などを表示する。タッチパッド制御部４８は、表示部３１もしくはタッチパッド３１ａが操作されたとき、操作に対応したデータ（例えば、タッチされた座標を示す）を表示部３１もしくはタッチパッド３１ａから受信し、受信したデータに対応する信号を、シリアルバスを介してＣＰＵ４１に供給する。
【０１０２】
EL（Electro luminescence）ドライバ４９は、表示部３１の液晶表示部の裏側に設けられている電界発光素子を動作させ、表示部３１の表示の明るさを制御する。
【０１０３】
赤外線通信部２２は、UART（Universal asynchronous receiver-transmitter）を介して、ＣＰＵ４１から受信したデータを赤外線信号として、図示せぬ他の機器に送信するとともに、他の機器から送信された赤外線信号を受信して、ＣＰＵ４１に供給する。ＰＤＡ１はまた、UARTを介して、他の機器と通信することができる。
【０１０４】
無線ＬＡＮ６４は、他の機器と無線通信（例えば、2.4GHz帯域を用いる無線伝送方式であるBluetoothによる無線通信）を行うためのものであり、ＣＰＵ４１から受信したデータを、所定の方法で電波に変換して、図示せぬ他の機器に送信するとともに、他の機器から送信された電波を受信して、ＣＰＵ４１に供給する。
【０１０５】
音声再生部５１は、スピーカ、および音声のデータの復号回路などから構成され、予め記憶している音声のデータ、または他の機器から受信した音声のデータなどを復号して、再生し、音声を出力する。例えば、音声再生部５１は、バッファ５０を介して、Ｃ
ＰＵ４１から供給された音声のデータを再生して、データに対応する音声を出力する。
【０１０６】
電源回路５２は、装着されているバッテリ６２または接続されているＡＣ（Alternating current）アダプタ６３から供給される電源の電圧を変換して、必要な電力をＣＰＵ４１乃至音声再生部５１に、それぞれ供給する。
【０１０７】
通信部５３は、例えば、ＲＳ−２３２Ｃなどのインターフェースで、クレードル７や通信モジュールなどと接続される。通信部５３は、例えば、通信モジュールおよびデジタル携帯電話機２を介して、インターネット８と接続し、ＣＰＵ４１から供給されたデータ（例えば、電子メールなど）を、所定の方式のパケットに格納して、インターネット８を介して、他の機器に送信する。また、通信部５３は、インターネット８を介して、他の機器から受信したパケットに格納されているデータまたはプログラムをＣＰＵ４１に出力する。
【０１０８】
図５は、ＰＤＡ１の機能ブロック図である。ユーザは、ＰＤＡ１を用いて、アドレス帳、メモ帳、電子メール、予定表などの基本機能のほかに、「Palmware（パームウェア）」と呼ばれる各種アプリケーションを利用できる。図５に図示されている機能（プログラム）は、全て、Palm OS上で動作するものである。
【０１０９】
データ通信プログラム８１は、ＣＰＵ４１が実行しているアプリケーション（例えば、番組録画設定プログラム８３）において、通信部５３、赤外線通信部２２、もしくは無線ＬＡＮ通信部６４を介して、他の装置と情報の通信を行う場合、その通信を制御するプログラムである。
【０１１０】
入出力制御プログラム８２は、表示部３１、タッチパッド３１ａ、もしくはキー３２を用いて、ユーザが入力した操作、または命令を示す信号を、対応するアプリケーションに供給したり、ＣＰＵ４１が実行しているアプリケーションの処理に基づいて、所定のデータを、バッファ５０を介して、音声再生部５１に出力して、音声を再生させたり、表示部３１に出力して、画像を表示させる処理を制御するプログラムである。
【０１１１】
番組録画設定プログラム８３は、ユーザの操作に基づいて、番組の放送地域、リモコンモード、または会員ＩＤを含むユーザ情報とともに、番組情報を取得したい日を設定情報メモリ９３に記憶し、所定の番組表１０１−１および１０１−２を番組情報サービスプロバイダ１４からダウンロードし、番組表メモリ９１に記憶するプログラムである。また、番組録画設定プログラム８３は、ユーザの操作によって、番組表メモリ９１に記憶されている番組表１０１−１および１０１−２の中から、所望の番組の録画予約を行うための番組情報が選択されると、選択された番組情報を予約情報として予約表９２に設定したり、番組表メモリ９１に記憶されている番組表１０１、予約表９２に設定されている予約情報、もしくは、設定情報メモリ９３に記憶されているユーザ情報を、表示部３１に表示させる。さらに、番組録画設定プログラム８３は、ユーザの操作に基づいて、番組表メモリ９１乃至設定情報メモリ９３に新たな情報を記憶または設定したり、記憶または設定されている情報を更新する処理を実行する。
【０１１２】
予定表プログラム８４は、スケジュール管理用のプログラムであり、ユーザが、自分の行動予定を、その開始時刻、終了時刻、場所、内容などとともに予定表９４に登録するプログラムである。予定表プログラム８４は、ユーザの操作に基づいて、予定表９４に新たな情報を登録したり、登録されている情報を更新する処理を実行するプログラムである。また、予定表プログラム８４は、ユーザによって登録された行動予定の開始時間が近づいたことを知らせるために、必要に応じて、その開始時刻の例えば５分前や１０分前などにアラームを設定することができる。
【０１１３】
電子メールプログラム８５は、アクセスサーバ６に対し、電子メールを送受信するソフトウェアプログラムである。
【０１１４】
ウェブブラウザ８６は、ＷＷＷサーバの情報をクライアント側でブラウズするためのソフトウェアプログラムである。ＷＷＷサーバとＷＷＷクライアント間で、所定の通信プロトコル（HTTPプロトコルやＨＴＭＬ）に基づいて、通信を実行し、更に、セキュリティ機能や音声／動画などのマルチメディアデータの再生、ＷＷＷサーバとＷＷＷクライアントとの間でプログラム転送を可能にする拡張言語（例えば、Java（登録商標））などをサポートするものである。
【０１１５】
動画表示プログラム８７は、EDO DRAM４４、メモリカード２１、もしくは、ドライブ６１に装着されている磁気ディスク７１乃至半導体メモリ７４のうちのいずれかなどに記録されている動画データを、入出力制御プログラム８２の処理により、表示部３１に表示させるために、データを変換したり、画像処理を実行するためのプログラムである。
【０１１６】
メモ帳８８は、いわゆるテキストエディタであり、ユーザが、タッチパッド３１ａを用いてテキストデータを入力した場合、入出力制御プログラム８２の処理によりユーザの操作に対応する信号の供給を受け、その信号を基に、対応するテキストデータを生成し、入出力管理プログラム８２の処理により、表示部３１に表示させるためのプログラムである。
【０１１７】
これらのプログラムは、Palm OS上で動作可能になされている。
【０１１８】
番組表１０１は、図６に示されるように、広告データ、番組表、および番組データにより構成される。広告データとは、企業１５より依頼された広告が記述されたデータである。広告データには、例えば、企業１５が管理するウェブページのＵＲＬ（Uniform Resource Locator）や、企業１５に問い合わせを行うための電子メールアドレスなどの情報、あるいは、所謂インターネットで用いられているＴＣＰ／ＩＰにとは異なる別のプロトコルでデータを授受するために必要な情報を含ませるようにしても良い。
【０１１９】
この広告データは、ＰＤＡ１を有するユーザに対して発信されるものであるから、広告対象となるユーザ層をある程度特定することができる。従って、例えば、Palm OSのアプリケーションや、新しいモバイルコンピュータ、あるいはパーソナルコンピュータの紹介などを、非常に効果的に発信することが可能となる。
【０１２０】
番組表とは、所定の日に複数のチャンネルで放送される番組の一覧表である。番組データとは、番組表に記載されている各番組の出演者や、番組の内容などの詳細な説明などが記述されたデータである。
【０１２１】
番組表に対して、広告データおよび番組データがリンクされている。すなわち、番組表とともに、複数の広告データが所定の期間毎に変更されながら表示されるようになされ、番組表の所定の番組名をユーザが選択した場合、その番組の番組データが表示されるようになされている。また、広告データには、ＰＤＡ１において、連続して表示される表示時間を示す情報が含まれており、番組録画設定プログラム８３は、広告データに含まれる表示時間情報を参照して、広告データの表示を切り替える。
【０１２２】
しかし、表示時間情報が、非常に短かったり、非常に長い場合には、ユーザに違和感を与えてしまうので、番組録画設定プログラム８３には、例えば、対応する表示時間情報が、３〜７秒の間でない場合は、対応する広告データの表示時間を５秒間に変更するように制御させるようにしても良い。
【０１２３】
このように、ひとつの番組情報に対して、複数の広告データを添付させることにより、番組情報サービスプロバイダ１４を運営する事業者は、多くの広告収入を得ることができる。
【０１２４】
また、番組表１０１に記録される広告データ、番組表、および番組データには、必要に応じて、有効期限、もしくは、そのデータの更新日時やバージョン情報などが含まれている。
【０１２５】
番組表１０１に記録される広告データ、番組表、および番組データに、有効期限が記載されている場合、番組録画設定プログラム８３は、一定の周期で、もしくは、所定の動作（例えば、番組表１０１に新たなデータを記録させる動作）の実行時に、番組表１０１に期限が切れているデータがあるか否かを判断し、期限が切れているデータがある場合、そのデータの更新を試みる。更新されたデータが、更新前と同じデータであっても、番組表１０１のデータは、単純に上書き更新される。
【０１２６】
番組表１０１に記録される広告データ、番組表、および番組データに、そのデータの更新日時やバージョン情報などが記載されている場合、番組録画設定プログラム８３は、番組表１０１に新たなデータを記録させる場合、更新日時やバージョン情報などを基に、データの供給元（例えば、パーソナルコンピュータ９、他のＰＤＡ１、もしくは、番組情報サービスプロバイダ１４など）に、最新の情報が記録されているか否かを判断し、最新の情報（更新された情報）があれば、それを取得しなおす。
【０１２７】
この、２つの方法のうち、いずれが適しているかは、そのデータの更新頻度、あるいはデータサイズによって異なる。例えば、更新されるサイクルが一定であれば、番組表１０１の各データに有効期限を記載することにより、無駄な通信の発生を抑えることが可能となるが、いつ更新されるかが分からない情報である場合、番組表１０１の各データに更新日時やバージョン情報を記載しておく方が、確実に最新情報を得ることができ、適しているといえる。
【０１２８】
また、ＰＤＡ１−１とＰＤＡ１０２、もしくはＰＤＡ１−２とパーソナルコンピュータ９との間で、番組情報（番組表１０１）が授受される場合、広告データ、番組表、および番組データのうち、広告データが一番初めに送信される。更に、番組表１０１から、広告データが削除された場合、あるいは、広告データを含まない番組情報が番組表１０１として番組表メモリ９１に記録された場合、番組録画設定プログラム８３は、対応する日付けの番組表１０１を表示部３１に表示しないで、例えば、「この日の番組表を表示することはできません。再度ダウンロードしてください」などといったワーニングメッセージを表示させる。
【０１２９】
図７は、パーソナルコンピュータ９の構成例を示している。
【０１３０】
ＣＰＵ１３１は、各種アプリケーションプログラムや、基本的なＯＳ（operating system）を実際に実行する。ＲＯＭ１３２は、一般的には、ＣＰＵ１３１が使用するプログラムや演算用のパラメータのうちの基本的に固定のデータを格納する。ＲＡＭ１３３は、ＣＰＵ１３１の実行において使用するプログラムや、その実行において適宜変化するパラメータを格納する。これらはＣＰＵバスまたはメモリバスなどから構成されるホストバス１３４により相互に接続されている。
【０１３１】
ホストバス１３４は、ブリッジ１３５を介して、ＰＣＩ（Peripheral Component Interconnect/Interface）バスなどの外部バス１３６に接続されている。
【０１３２】
キーボード１３８は、ＣＰＵ１３１に各種の指令を入力するとき、ユーザにより操作される。マウス１３９は、ＣＲＴ（cathode ray tube）１４０の画面上のポイントの指示や選択を行うとき、ユーザにより操作される。ＣＲＴ１４０は、各種情報をテキストやイメージで表示する。ハードディスクドライブ（ＨＤＤ）１４１およびＦＤＤ（Floppy Disk Drive）１４２は、それぞれハードディスクまたはフロッピーディスク（登録商標）を駆動し、それらにＣＰＵ１３１によって実行するプログラムや情報を記録または再生させる。スピーカ１４３は、所定の音声を再生する。これらのキーボード１３８乃至スピーカ１４３は、インターフェース１３７に接続されており、インターフェース１３７は、外部バス１３６、ブリッジ１３５、およびホストバス１３４を介してＣＰＵ１３１に接続されている。
【０１３３】
画像処理ボード１４４は、ＣＰＵ１３１の制御の下、アンテナ８から供給された信号、ＶＣＲ１０から供給される画像または音声のアナログ信号、または、ネットワーク１２を介して、ＤＶＣＲ１１から供給される画像または音声のデジタルデータに基づいて、所定の画像または音声のデータを生成し、外部バス１３６およびインターフェース１３７を介して、ハードディスクドライブ１４１に出力する。
【０１３４】
また、画像処理ボード１４４は、外部バス１３６およびインターフェース１３７を介して、ハードディスクドライブ１４１に記録されている画像または音声のデータを入力し、入力された画像または音声のデータに対応するアナログ信号を生成して、ＶＣＲ１０に供給し、または入力された画像または音声のデータに対応するデジタルデータを生成して、ネットワーク１２を介して、ＤＶＣＲ１１に供給する。
【０１３５】
画像処理ボード１４４は、外部バス１３６、ブリッジ１３５、およびホストバス１３４を介して、ＣＰＵ１３１に接続されている。
【０１３６】
通信ボード１４５は、公衆回線網４もしくはクレードル７と接続するための装置であり、具体的にはイーサネットボード等で構成され、外部バス１３６、ブリッジ１３５、およびホストバス１３４を介してＣＰＵ１３１に接続されている。
【０１３７】
赤外線通信部１４６は、例えば、ＰＤＡ１から送信された赤外線信号を受信し、外部バス１３６、ブリッジ１３５、およびホストバス１３４を介して、ＣＰＵ１３１に出力したり、ＣＰＵ１３１から出力された信号を、赤外線信号に変換して、外部に出力する。
【０１３８】
無線ＬＡＮ通信部１４７は、例えば、ＰＤＡ１から送信された電波を受信して、その電波を所定の方法でＣＰＵ１３１が認識可能なデータに変換し、外部バス１３６、ブリッジ１３５、およびホストバス１３４を介して、ＣＰＵ１３１に出力したり、ＣＰＵ１３１から出力された信号を、電波に変換して、外部に出力する。
【０１３９】
次に、図８を参照して、画像処理ボード１４４の詳細な構成例について説明する。
【０１４０】
1394インターフェース１５１は、IEEE1394の規定に対応する構成を有し、ネットワーク１２に接続され、IEEE1394の規定に対応するプロトコルに基づき、ＤＶＣＲ１１から供給される画像または音声のＤＶＣＲフォーマットのデジタルデータを受信し、ＤＶ（Digital Video）データインターフェース１５２に供給する。
【０１４１】
また、1394インターフェース１５１は、ＤＶデータインターフェース１５２から供給された画像または音声のＤＶＣＲフォーマットのデジタルデータを、IEEE1394の規定に対応するプロトコルに基づき、ＤＶＣＲ１１に供給する。
【０１４２】
ＤＶデータインターフェース１５２は、1394インターフェース１５１から供給されたＤＶＣＲフォーマットの画像または音声のデジタルデータ、またはデジタルセレクタ１５７から供給された画像または音声のデジタルデータ（例えば、４：１：１などの圧縮されていないデジタルデータなど）をＤＶデータ圧縮伸張回路１５３に出力し、ＤＶデータ圧縮伸張回路１５３から供給されたＤＶＣＲフォーマットの画像または音声のデジタルデータを1394インターフェース１５１に出力し、ＤＶデータ圧縮伸張回路１５３から供給された画像または音声の非圧縮のデジタルデータをデジタルセレクタ１５７に出力する。
【０１４３】
ＤＶデータ圧縮伸張回路１５３は、ＤＶデータインターフェース１５２から供給されたＤＶＣＲフォーマットの画像または音声のデジタルデータを、圧縮されていない画像または音声のデジタルデータに伸張して、ＤＶデータインターフェース１５２に出力し、または、ＤＶデータインターフェース１５２から供給された圧縮されていない画像または音声のデジタルデータを、ＤＶＣＲフォーマットの画像または音声のデジタルデータに圧縮し、ＤＶデータインターフェース１５２に出力する。
【０１４４】
チューナ１５４は、アンテナ８から供給されたＲＦ（radio Frequency）信号を入力し、所定のチャンネルの画像および音声のアナログ信号をアナログセレクタ１５５に出力する。アナログセレクタ１５５は、チューナ１５４、ＶＣＲ１０、またはＤ／Ａ（Digital/Analog）変換回路１６１から供給された画像または音声のアナログ信号のいずれかを選択し、Ａ／Ｄ（Analog/Digital）変換回路１５６またはＶＣＲ１０に出力する。
【０１４５】
Ａ／Ｄ変換回路１５６は、アナログセレクタ１５５から供給された画像および音声のアナログ信号を、デジタルデータに変換し、デジタルセレクタ１５７に出力する。デジタルセレクタ１５７は、ＤＶデータインターフェース１５２、Ａ／Ｄ変換回路１５６、またはMPEGデコーダ１６０から出力された画像および音声のデジタルデータを入力し、いずれかの画像および音声のデジタルデータを選択し、ＤＶデータインターフェース１５２、MPEGエンコーダ１５８、またはＤ／Ａ変換回路１６１に出力するとともに、ブリッジ１５９に出力する。
【０１４６】
MPEGエンコーダ１５８は、デジタルセレクタ１５７から供給された画像および音声のデジタルデータを、MPEG方式のデジタルデータに圧縮し、ブリッジ１５９に出力する。また、MPEGエンコーダ１５８は、シーンの切り替わりの画像を、静止画像に変換し、ブリッジ１５９に出力する。
【０１４７】
ブリッジ１５９は、デジタルセレクタ１５７から供給された画像および音声の非圧縮のデジタルデータを、画像処理ボード１４４が装着されているパーソナルコンピュータ９の外部バス１３６およびインターフェース１３７を介して、ＣＲＴ１４０に出力する。ブリッジ１５９は、MPEGエンコーダ１５８から供給されたMPEG方式の画像または音声のデジタルデータを、画像処理ボード１４４が装着されているパーソナルコンピュータ９の外部バス１３６を介して、ハードディスクドライブ１４１、またはＣＰＵ１３１に出力する。さらに、ブリッジ１５９は、外部バス１３６を介して、パーソナルコンピュータ９のハードディスクドライブ１４１から、MPEG方式の画像または音声のデジタルデータを受信し、MPEGデコーダ１６０に出力する。
【０１４８】
MPEGデコーダ１６０は、ブリッジ１５９から供給されたMPEG方式の画像または音声のデジタルデータを伸張して、圧縮されていない画像または音声のデジタルデータとし、デジタルセレクタ１５７に出力する。
【０１４９】
Ｄ／Ａ変換回路１６１は、デジタルセレクタ１５７から供給された画像および音声のデジタルデータを、アナログ信号に変換し、アナログセレクタ１５５に出力する。
【０１５０】
なお、MPEGエンコーダ１５８またはMPEGデコーダ１６０に対応する処理は、所定のプログラムにより、ＣＰＵ１３１が実行するようにしてもよい。
【０１５１】
図９は、パーソナルコンピュータ９の機能ブロック図である。
【０１５２】
入出力管理プログラム１７１は、キーボード１３８、もしくはマウス１３９を用いて、ユーザが入力した操作、または命令を示す信号を、対応するアプリケーションに供給したり、各種アプリケーションの処理に基づいて、所定のデータを赤外線通信部１４６に出力して、対応する赤外線信号を他の機器に送信させたり、所定のデータを無線ＬＡＮ通信部１４７に出力して、対応する電波を出力させたり、画像データを画像処理ボード１４４に出力して、所定の画像処理を実行させたり、音声データをスピーカ１４３に出力して、音声を再生させたり、画像データをＣＲＴ１４０に出力して、画像を表示させたり、所定のデータをハードディスクドライブ（ＨＤＤ）１４１に供給して、そこに記録させる処理を管理するプログラムである。
【０１５３】
ホットシンクマネージャ１７２は、Palm OSを搭載しているＰＤＡ１と情報を授受するためのプログラムであり、２つの異なるコンピュータの間でファイルやデータをシンクロナイズさせるものであり、Palm OSを搭載しているＰＤＡと、パーソナルコンピュータ９とで、機種を選ばず、ファイルやデータをシンクロナイズさせる。
【０１５４】
Palmデスクトップ１７３は、ホットシンクマネージャ１７２の処理により、Palm OSを搭載しているＰＤＡ１と情報を授受した場合、ＰＤＡ１と、パーソナルコンピュータ９とで、情報を共有化するために必要なプログラムである。
【０１５５】
予約監視プログラム１７４は、図５７を用いて後述するホットシンクマネージャ１７２の処理により、コンテンツデータをＰＤＡ１から受信する番組情報、もしくは、後述する録画予約設定プログラム１７８により設定された録画予約情報に基づき、番組の録画予約の実行を監視するプログラムである。
【０１５６】
ＡＶコンテンツ変換プログラム１７５は、図３６を用いて後述するホットシンクマネージャ１７２の処理によりＰＤＡ１へ送信するために、MPEGなどの通常の画像フォーマットでＨＤＤ１４１に記録されているＡＶコンテンツ（すなわち、録画された番組データ）を、画像処理能力の低い携帯端末装置（例えば、ＰＤＡ１）などが表示するのに適した所定のフォーマットに変換するプログラムである。
【０１５７】
ＡＶコンテンツ管理検索プログラム１７６は、入出力管理プログラム１７１の処理によりユーザの操作に対応する信号、または他の機器から送信された指令（コマンド）に対応する信号の供給を受け、その信号を基に、対応するＡＶコンテンツをハードディスクドライブ１４１から検索し、ＡＶコンテンツ変換プログラム１７５に出力して、データ変換を要求したり、録画再生プログラム１７７に出力し、再生を要求するプログラムである。
【０１５８】
録画再生プログラム１７７は、ＡＶコンテンツ管理検索プログラム１７６により検索されたＡＶコンテンツを再生するプログラムである。
【０１５９】
録画予約設定プログラム１７８は、入出力管理プログラム１７１の処理によりユーザの操作に対応する信号、または他の機器から送信された指令（コマンド）に対応する信号の供給を受け、その信号を基に、所定の放送チャンネルの所定の番組の録画予約を設定するプログラムである。
【０１６０】
図１０は、図１の番組情報サービスプロバイダ１４の構成例を示すブロック図である。番組情報サーバ１９１は、インターネット８を介して受信した情報に基づいて、コンバータ１９３、もしくは課金サーバ１９７を制御したり、番組情報データベース１９２、ｐｄｂ形式番組情報データベース１９４、ユーザ情報データベース１９５、もしくは、広告情報データベース１９６に情報を登録したり、あるいは、登録されている情報から、所定の情報を検索して読み出す。
【０１６１】
番組情報データベース１９２には、所望の番組を検索するためのＥＰＧ情報、および所定のテレビジョン放送局の所定の番組の録画を予約するためなどに利用される番組情報が、データベース形式で蓄積されている。番組情報には、少なくとも放送チャンネル、放送日、番組名、番組の放送開始時刻および放送終了時刻、並びに、番組に関する番組詳細情報が関連付けられている。また、番組詳細情報には、必要に応じて、その番組の番組制作会社が管理するウェブページのＵＲＬや、問い合わせを行うための電子メールアドレスなどが含まれる。
【０１６２】
ここでは、ユーザが、更に詳細な関連情報を得ようとした場合に、インターネットを介して、その番組の番組制作会社が管理するウェブページにアクセスしたり、電子メールを用いて問い合わせを行うものとして、番組詳細情報にＵＲＬや電子メールアドレスを記載するものとしているが、これらの情報の授受には、所謂インターネットで用いられているTCP／ＩＰを用いても良いし、TCP／ＩＰとは異なる別のプロトコルを用いることも可能である。
【０１６３】
広告情報データベース１９６には、企業１５より取得した広告に関する広告情報が、データベース形式で蓄積されている。広告情報には、必要に応じて、その広告の広告主（企業１５）が管理するウェブページのＵＲＬや、問い合わせを行うための電子メールアドレスなどが含まれる。広告情報データベース１９６においても、番組情報データベース１９２と同様に、広告情報にＵＲＬや電子メールアドレスを記載するものとしているが、これらの情報の授受には、所謂インターネットで用いられているTCP／IPを用いても良いし、TCP／IPとは異なる別のプロトコルを用いることも可能である。
【０１６４】
コンバータ１９３は、番組情報サーバ１９１の制御に基づいて、番組情報データベース１９２から、番組情報を読み出すとともに、広告情報データベース１９６から、広告情報を読み出し、ｐｄｂ形式のデータにコンバートする。変換されたｐｄｂ形式の広告情報が付随された番組情報は、ｐｄｂ形式
番組情報データベース１９４に蓄積される。
【０１６５】
ユーザ情報データベース１９５には、ユーザＩＤおよび登録チャンネルなどのユーザに関するユーザ情報が蓄積されている。各ユーザＩＤには、ユーザが必要としているチャンネル情報が関連付けられている。
【０１６６】
課金サーバ１９７は、広告主である企業１５に対する課金処理を行うものである。
【０１６７】
番組情報サーバ１９１は、インターネット８を介して番組情報の送信要求の入力を受ける。番組情報サーバ１９１は、受信された番組情報の送信要求が、本発明を適応した番組データ取得システムによるものである場合、番組情報の送信要求に含まれる情報に基づいて、ユーザが所望する番組情報、およびそれに付随して送付される広告情報をｐｄｂ形式番組情報データベース１９４から選択し、対応するユーザに送信する処理を実行する。
【０１６８】
また、番組情報サーバ１９１は、番組情報の送信要求に、ユーザＩＤが含まれていた場合、ユーザ情報データベース１９５から、対応するユーザの登録情報を検索し、検索された登録情報および番組情報の送信要求に含まれている日付けの情報を基に、ユーザが所望する番組情報およびそれに付随して送付される広告情報をｐｄｂ形式番組情報データベース１９４から選択し、対応するユーザに送信する処理を実行する。
【０１６９】
また、番組情報サーバ１９１には、受信された番組情報の送信要求が、例えば、ＨＴＭＬなどのページ記述言語によって記述されている番組情報の送信要求であった場合、番組情報の送信要求に含まれる情報に基づいて、番組情報データベース１９２に記録されている番組情報データから、ユーザが所望するものを検索し、ＨＴＭＬなどの所定のデータに変換させ、対応するユーザに送信する、いわゆる従来のウェブベースの番組情報の提供処理を実行させるようにしてもよい。
【０１７０】
すなわち、番組情報サービスプロバイダ１４は、従来のウェブベースの番組情報提供サービスを行っている番組情報サーバ１９１を用いて、ｐｄｂ形式の番組情報をユーザに送信することができるようにしてもよいし、あるいは、ｐｄｂ形式に変換された番組情報のみを提供するものであっても良い。
【０１７１】
更に、番組情報サーバ１９１は、インターネット８を介して、企業１５が有するパーソナルコンピュータ１６と接続され、広告の申し込みを受け、広告情報を、広告情報データベース１９６に登録したり、課金サーバ１９７が算出する広告主となった企業１５に対する課金処理結果の入力を受け、インターネット８を介して、企業１５が有するパーソナルコンピュータ１６に送信する処理を実行する。
【０１７２】
図１１は、ＰＤＡ１の電源を投入した場合の初期表示画面を示す図である。表示部３１には、図５を用いて説明した各種プログラムに対応するアイコンが表示され、ユーザは、ペン２０１を用いて、アイコンを選択することにより、所望のプログラムを起動させることができる。
【０１７３】
例えば、番組表メモリ９１に番組表１０１が記録されていない状態で、番組録画設定プログラム８３が起動された場合（ユーザによって、図中番組予約と記載されているアイコンが選択された場合）、表示部３１には、例えば、図１２に示されるように、番組情報の取得を促すメッセージが記載されたウィンドウ２１１が表示される。ウィンドウ２１１を確認したユーザは、ＯＫボタン２１３を選択することにより、番組情報の取得のためのオペレーションに進むことができる。
【０１７４】
ＰＤＡ１が、番組情報サービスプロバイダ１４から番組情報を取得するには２通りの方法がある。１つは、デジタル携帯電話機２、基地局３、公衆回線網４、アクセスサーバ６およびインターネット８を介して、番組情報サービスプロバイダ１４に直接接続して番組情報を取得する方法であり、もう一方は、クレードル７を介してパーソナルコンピュータ９に接続し、パーソナルコンピュータ９が、公衆回線網４、アクセスサーバ６、およびインターネット８を介して、番組情報サービスプロバイダ１４に接続して番組情報を取得し、ＰＤＡ１は、クレードル７を介して、パーソナルコンピュータ９から、番組情報を取得する方法である。
【０１７５】
次に、図１３のフローチャートを参照して、ＰＤＡ１が、デジタル携帯電話機２、基地局３、公衆回線網４、アクセスサーバ６およびインターネット８を介して、番組情報サービスプロバイダ１４に直接接続して番組情報を取得する場合の、ＰＤＡ１−１および番組情報サービスプロバイダ１４の番組情報サーバ１９１の処理について説明する。
【０１７６】
ステップＳ１において、ＰＤＡ１−１のＣＰＵ４１が実行するPalm OSは、電源が投入されたことを検出し、図１１を用いて説明した初期画面を、表示部３１に表示させる。
【０１７７】
ステップＳ２において、Palm OSは、番組録画設定プログラム８３の起動を指示する入力を受け（すなわち、図１１に示される状態において、ユーザによって、図中番組予約と記載されているアイコンの選択を受け）、番組録画設定プログラム８３を起動させる。ここで、番組表メモリ９１に番組表が記録されていない場合、図１２を用いて説明した表示画面が表示される。
【０１７８】
ステップＳ２において、番組録画設定プログラム８３は、入出力制御プログラム８２の処理により入力されるユーザの操作に基づいて、設定情報メモリ９３に、番組情報取得予定日などを登録する。以下、図１４乃至図１９を参照して、設定処理について説明する。
【０１７９】
例えば、図１２に示される状態において、ＯＫボタン２１２が押下された場合、図１４に示される番組情報管理画面が表示される。番組情報管理画面には、番組情報取得予定日を表示する表示エリア２２１、ＯＫボタン２２２、新規登録ボタン２２３、変更ボタン２２４、削除ボタン２２５、およびメニューを表示させる場合に選択されるタグ２２６が表示されている。
【０１８０】
ＯＫボタン２２２は、設定された内容が正しい場合に選択され、ＯＫボタン２２２が選択された場合、表示部３１には、番組情報管理画面が表示される一つ前の表示画面が表示される。新規登録ボタン２２３は、番組取得予定日を新規に登録したい場合に選択される。変更ボタン２２４は、設定された番組情報取得予定日を変更したい場合に選択される。削除ボタン２２５は、設定された番組情報取得予定日を削除したい場合に選択され、表示エリア２２１に番組情報取得予定日が表示されている場合、そのうちの任意の情報を選択して、削除ボタン２２５が選択された場合、対応する番組情報取得予定日の情報は、削除される。
【０１８１】
タグボタン２２６が選択された場合、図１５に示されるように、番組表タグ２３１およびオプションタグ２３２が表示される。オプションタグ２３２が選択された場合、ドロップダウンリストボックス２３３が表示される。
【０１８２】
ドロップダウンリストボックス２３３のうち、「設定」の項目が選択された場合、図１６に示される設定画面が表示される。設定画面には、地域設定リストボックス２４１、リモコンモード設定ボックス２４２、チェックボックス２４３、テキストボックス２４４、テキストボックス２４５、ＯＫボタン２４６、およびキャンセルボタン２４７が設けられている。
【０１８３】
地域設定リストボックス２４１は、番組情報を取得したい地域を設定するためのものである。リモコンモード設定ボックス２４２は、リモコンモードを設定するためのものである。チェックボックス２４３は、予定表プログラム８４の処理により設定される予定表９４に予約情報を反映するか否かを設定するためのものである。テキストボックス２４４は、予定表９４に予約情報を反映する場合に、他の予定と、番組予約予定とを区別するための挿入キーワードを設定するためのものである。
【０１８４】
テキストボックス２４５は、番組情報サービスプロバイダ１４に登録しているユーザに予め与えられている会員ＩＤを設定するためのものである。ＯＫボタン２４６は、地域設定リストボックス２４１乃至テキストボックス２４５に入力された登録内容が正しい場合に選択されるものである。キャンセルボタン２４７は、登録内容をキャンセルしたい場合に選択されるものである。
【０１８５】
ドロップダウンリストボックス２３３のうち、「ＣＨ設定」の項目が選択された場合、図１７に示されるチャンネル設定画面が表示される。チャンネル設定画面は、表示チャンネル、受信チャンネル、およびチャンネル名（放送局名）との対応が表形式で表示され、その地域に対応するように、チャンネル名などを変更することが可能なようになされている。チャンネル設定画面には、さらに、チャンネル設定が正しい場合に選択されるＯＫボタン２４８、およびチャンネル設定をキャンセルしたい場合に選択されるキャンセルボタン２４９が設けられている。
【０１８６】
図１４の番組情報管理画面において、新規登録ボタン２２４が選択された場合、図１８に示される新規登録用の番組取得予定日設定画面が表示される。ユーザは、所望の年、月を、表示画面から選択して、所望の月のカレンダーを表示させ、その中から、番組情報を取得したい日を選択する。ユーザが、本日の番組情報を選択したい場合、「今日」ボタン２５２を選択すれば、本日が番組情報を取得したい日であることが指令される。操作を終了させたい場合は、キャンセルボタン２５１が選択される。
【０１８７】
ここで、ユーザが、本日より前の日付を選択した場合、図１９に示されるように、例えば、「過去の番組情報のダウンロード予約はできません」というメッセージが記載されたウィンドウ２５５が表示される。
【０１８８】
図１８の番組取得予定日設定画面において、ユーザが選択した日付けが、図２０に示されるように表示エリア２２１に表示され、設定情報メモリ９３に設定される。図２０に示される状態では、番組取得予定日が設定されているだけであり、番組情報は、まだ取得されていない。
【０１８９】
ユーザが、番組取得予定日の設定を変更したい場合、表示エリア２２１に表示されている番組取得予定日のうち、所望の日付けを選択し、変更ボタン２２４を選択することにより、図２１に示される変更ウィンドウ２６１が表示される。
【０１９０】
変更ウィンドウ２６１には、取得予定日を変更するための日付け設定ボックス２６１、地域の設定を変更するための地域設定リストボックス２６３、変更内容が正しい場合に選択されるＯＫボタン２６４、および変更内容をキャンセルしたい場合に選択されるキャンセルボタン２６５が設けられている。ユーザが、変更ウィンドウ２６１のＯＫボタン２６２を選択した場合、その日および地域が、設定情報メモリ９３に設定される。
【０１９１】
ユーザは、図２０の番組情報管理画面に表示されている番組情報取得予定日の中から、番組情報を直接取得したい日付けを選択し（番組取得予定日は、複数設定することが可能である）、デジタル携帯電話機２、基地局３、公衆回線網４、アクセスサーバ６およびインターネット８を介して、番組情報サービスプロバイダ１４に接続することにより、所望の日付の番組情報を得ることができる。
【０１９２】
再び、図１３のフローチャートの説明に戻る。ステップＳ４において、番組録画設定プログラム８３は、入出力制御プログラム８２の処理により入力されるユーザの操作に基づいて、番組情報を直接取得したい日付けの選択および情報の取得命令を受ける。
【０１９３】
具体的には、ユーザは、番組情報を取得したい場合、図２０の番組情報管理画面に表示されている番組情報取得予定日の中から、番組情報を直接取得したい日付けを選択する。番組取得予定日は、複数選択することも可能である。そして、ユーザは、タグ２２６を選択して、番組表タグ２３１およびオプションタグ２３２を表示させ、番組表タグ２３１を選択する。ユーザの操作を受けた番組録画設定プログラム８３は、図２２に示されるドロップダウンリストボックス２６８を表示させる。ここでは、ユーザが、「情報を取得する」の項目を選択して、デジタル携帯電話機２、基地局３、公衆回線網４、アクセスサーバ６およびインターネット８を介して、番組情報サービスプロバイダ１４
に接続することにより、所望の日付の番組情報を得る場合について説明する。
【０１９４】
ステップＳ５において、番組録画設定プログラム８３は、データ通信プログラム８１の処理により入力される情報を基に、ＰＤＡ１−１とデジタル携帯電話機２、もしくはＰＨＳやデータカード型ＰＨＳなどの、公衆回線網４と通信するための装置とを接続するための通信モジュールが接続されているか否かを判断する。
【０１９５】
ステップＳ５において、通信モジュールが接続されていないと判断された場合、ステップＳ６において、番組録画設定プログラム８３は、通信モジュールが接続されていないことをユーザに通知するためのエラーメッセージを生成し、入出力制御プログラム８２に出力する。入出力制御プログラム８２は、入力されたエラーメッセージを、表示部３１に出力して表示させ、処理は、ステップＳ４に戻り、それ以降の処理が繰り返される。
【０１９６】
ステップＳ５において、通信モジュールが接続されていると判断された場合、ステップＳ７において、番組録画設定プログラム８３は、通信モジュールを介して通信を開始するために、データ通信プログラム８１を制御し、デジタル携帯電話機２、基地局３、公衆回線網４、アクセスサーバ６、およびインターネット８を介して、番組情報サービスプロバイダ１４の番組情報サーバ１９１に接続する。
【０１９７】
ステップＳ８において、番組録画設定プログラム８３は、入力された番組情報取得要求（取得したい番組情報の地域および日付情報、あるいは、番組情報サービスプロバイダ１４に予め登録されているユーザＩＤおよび日付情報）を、番組情報サービスプロバイダ１４の番組情報サーバ１９１に送信する。
【０１９８】
ステップＳ９において、番組情報サーバ１９１は、ＰＤＡ１−１から、番組情報取得要求を受信し、ステップＳ１０において、受信した番組情報取得要求に、ユーザＩＤが含まれているか否かを判断する。
【０１９９】
ステップＳ１０において、受信した番組情報取得要求に、ユーザＩＤが含まれていると判断された場合、ステップＳ１１において、番組情報サーバ１９１は、ユーザ情報データベース１９５から、受信した番組取得要求に含まれる日付け情報、およびユーザＩＤに対応する登録内容を読み込む。
【０２００】
ステップＳ１０において、受信した番組情報取得要求に、ユーザＩＤが含まれていないと判断された場合、もしくは、ステップＳ１１の処理の終了後、番組情報サーバ１９１は、ステップＳ１２において、ｐｄｂ形式番組情報データベース１９４から、入力された番組情報取得要求（取得したい番組情報の地域および日付情報、あるいは、番組情報サービスプロバイダ１４に予め登録されているユーザＩＤおよび日付情報）に対応する番組情報を検索し、ステップＳ１３において、検索された番組情報を、番組情報取得要求を送信したＰＤＡ１−１に送信する。
【０２０１】
ＰＤＡ１の番組録画設定プログラム８３は、ステップＳ１４において、データ通信プログラム８１の処理により、ステップＳ１３において、番組情報サーバ１９１が送信した番組情報を受信し、番組表メモリ９１に記録し、ステップＳ１５において、インターネットとの接続を切断して、処理が終了される。
【０２０２】
図１３のフローチャートを用いて説明した処理により、ＰＤＡ１−１の番組表メモリ９１には、ユーザが所望する日の番組情報が記録される。そして、図２０を用いて説明した番組情報管理画面に表示されている番組情報取得予定日のうち、番組表メモリ９１に番組情報が記録されたものには、図２３に示されるように、番組情報取得済みであることを示すアイコン２７１が表示される。
【０２０３】
次に、図２４のフローチャートを参照して、ＰＤＡ１−２がクレードル７を介してパーソナルコンピュータ９に接続し、パーソナルコンピュータ９が、公衆回線網４、アクセスサーバ６およびインターネット８を介して、番組情報サービスプロバイダ１４に接続して番組情報を取得し、ＰＤＡ１−２は、パーソナルコンピュータ９から、番組情報を取得する場合の、ＰＤＡ１−２、パーソナルコンピュータ９および番組情報サービスプロバイダ１４の番組情報サーバ１９１の処理について説明する。
【０２０４】
ステップＳ２１乃至ステップＳ２３において、図１３のステップＳ１乃至ステップＳ３と同様の処理が実行される。
【０２０５】
番組録画設定プログラム８３は、ステップＳ２４において、データ通信プログラム８１の処理により、通信部５３を介して、クレードル７からホットシンクボタン３５が押下されたことを示す信号の入力を受け、ステップＳ２５において、クレードル７を介して、パーソナルコンピュータ９と通信を開始する。
【０２０６】
ステップＳ２６において、パーソナルコンピュータ９のＣＰＵ１３１は、ホットシンクマネージャ１７２を起動し、Palmデスクトップ用のインターフェースを確立する。そして、ステップＳ２７において、ホットシンクマネージャ１７２は、例えば、番組録画履歴などの情報を、ＰＤＡ１に送信する。
【０２０７】
ホットシンクとは、２つの異なるコンピュータの間でファイルやデータをシンクロナイズさせるものであり、Palm OSを搭載しているＰＤＡと、パーソナルコンピュータとで、機種を選ばず、ファイルやデータをシンクロナイズさせることが可能である。
【０２０８】
ＰＤＡ１−２の番組録画設定プログラム８３は、ステップＳ２８において、クレードル７を介して、番組情報取得要求をパーソナルコンピュータ９に送信し、パーソナルコンピュータ９から、番組録画履歴などの情報を受信し、ステップＳ２９において、パーソナルコンピュータ９が、ステップＳ２７において送信した番組録画履歴などを、予定表９４に記録する。
【０２０９】
ステップＳ３０において、ホットシンクマネージャ１７２は、ＰＤＡ１−２から、クレードル７を介して、番組情報取得要求を受信し、ステップＳ３１において、入出力管理プログラム１７１の処理により、インターネット８を介して、番組情報サービスプロバイダ１４に接続し、ステップＳ３２において、ステップＳ３０において受信した番組情報取得要求を、番組情報サービスプロバイダ１４に送信する。
【０２１０】
番組情報サービスプロバイダ１４の番組情報サーバ１９１は、ステップＳ３３において、インターネット８を介して、パーソナルコンピュータ９から、番組情報取得要求を受信し、ステップＳ３４において、受信した番組情報取得要求に、ユーザＩＤが含まれているか否かを判断する。
【０２１１】
ユーザＩＤとは、ＰＤＡ１−２のユーザが、番組情報サービスプロバイダ１４に対して、取得する番組情報のチャンネルなどの詳細情報を予め登録している場合（すなわち、図１０を用いて説明したユーザ情報データベース１９５に、対応するユーザが取得する番組情報の詳細情報が登録されている場合）に与えられるＩＤであり、図１６を用いて説明した設定画面により設定される。
【０２１２】
ステップＳ３４において、番組情報取得要求に、ユーザＩＤが含まれていると判断された場合、ステップＳ３５において、番組情報サーバ１９１は、ユーザ情報データベース１９５から、対応する登録内容を読み込む。
【０２１３】
ステップＳ３４において、番組情報取得要求に、ユーザＩＤが含まれていないと判断された場合、もしくはステップＳ３５の処理の終了後、ステップＳ３６において、番組情報サーバ１９１は、ｐｄｂ形式番組情報データベース１９４から、番組情報取得要求に記載されているユーザが要求する番組情報に対応する日付け、地域、もしくはチャンネルなどで指定される番組情報を検索する。
【０２１４】
ステップＳ３７において、番組情報サーバ１９１は、ステップＳ３６において検索された番組情報を、インターネット８を介してパーソナルコンピュータ９に送信する。
【０２１５】
ステップＳ３８において、パーソナルコンピュータ９の入出力管理プログラム１７１は、インターネット８を介して、番組情報サービスプロバイダ１４から番組情報を受信する。ホットシンクマネージャ１７２は、受信された番組情報を、入出力管理プログラム１７１の処理により、クレードル７を介して、ＰＤＡ１−２に送信する。
【０２１６】
ステップＳ３９において、パーソナルコンピュータ９の入出力管理プログラム１７１は、インターネット８との接続を切断する。
【０２１７】
ステップＳ４０において、ＰＡＤ１−２の番組録画設定プログラム８３は、クレードル７を介して、パーソナルコンピュータ９から番組情報を受信し、番組表メモリ９１に記録して、処理を終了する。
【０２１８】
図２４を用いて説明した処理により、例えば、デジタル携帯電話機２を保有していないユーザであっても、パーソナルコンピュータ９を用いて番組情報を取得したり、所定時刻から所定時刻の間（例えば、午後１１時から午前８時）に所定の電話番号に何時間接続しても、通話料が一定であるようなサービスの時間内に、パーソナルコンピュータ９を用いて番組情報サービスプロバイダ１４に接続し、番組情報を取得することができる。
【０２１９】
図１３を用いて説明した処理、もしくは図２４を用いて説明した処理により、ＰＤＡ１の番組表メモリ９１には、番組表１０１が記録される。番組表メモリ９１に番組表１０１が記録されている状態における番組録画設定プログラム８３の初期画面、すなわち、ユーザが、図１１の初期画面において、番組録画設定プログラム８３を示すアイコンを、ペン２０１を用いて選択した場合に表示部３１に表示される番組表画面を図２５に示す。
【０２２０】
表示部３１には、番組表２８１、広告バナー２８３、およびタグ２８２が表示される。番組表２８１には、チャンネル２８４、日付け２８５、時間２８６が表示される。広告バナー２８３は、例えば、広告データに含まれる表示時間情報に従って、表示が自動的に変更されるようになされている。タグ２８２には、現在時刻（ここでは２１：２２）が表示されている。
【０２２１】
タグ２８２が選択された場合、表示部３１には、図２６に示されるように、番組表タグ２９１およびオプションタグ２９２が表示される。ユーザにより、番組表タグ２９１が選択された場合、ドロップダウンリストボックス２９３が表示される。ドロップダウンリストボックス２９３において、「予約表」の項目が選択された場合、図３８を用いて後述する予約表画面が表示される。また、ドロップダウンリストボックス２９３において、「情報管理画面」の項目が選択された場合、図２３を用いて説明した情報管理画面が表示され、番組表２８１内に表示されている所望の番組の開始時間が選択されたあと、「時間帯番組一覧」の項目が選択された場合、図３５を用いて後述する指定時間帯番組一覧が表示される。
【０２２２】
また、ユーザによって、オプションタグ２９２が選択された場合、図２７に示されるように、ドロップダウンリストボックス２９４が表示される。ドロップダウンリストボックス２９４において、「フォント」の項目が選択された場合、表示部３１に表示されるフォントを設定する設定画面が表示され、「設定」の項目が選択された場合、図１６を用いて説明した設定画面が表示される。
【０２２３】
ドロップダウンリストボックス２９４において、番組情報の削除が選択された場合、図２８に示されるような、番組情報の削除を確認するメッセージが記載されたウィンドウ２９５が表示される。ユーザは、番組情報を削除したくない場合、キャンセルボタン２９６を選択し、番組情報を削除してもよい場合、ＯＫボタン２９７を選択する。このようにすることにより、操作を誤った場合においても、データを間違えて削除することを未然に防ぐことができる。
【０２２４】
ドロップダウンリストボックス２９４において、「バージョン情報」の項目が選択された場合、番組録画設定プログラム８３のバージョン情報が表示される。
【０２２５】
ドロップダウンリストボックス２９４において、「リモートコマンダ」の項目が選択された場合、図４８を用いて後述するリモートコマンダ表示画面が表示部３１に表示され、図４７乃至図５０を用いて後述するリモートコントロール処理が実行される。
【０２２６】
表示部３
１に表示されている番組表２８１の、チャンネル２８４が選択された場合、図２９に示されるように、チャンネル一覧３０１が表示される。ユーザは、表示されたチャンネル一覧３０１のうち、表示部３１に表示させたいチャンネルを選択する。
【０２２７】
表示部３１に表示されている番組表２８１の日付け２８５が選択された場合、図３０に示されるように、現在、番組表メモリ９１に記録されている番組表１０１の日付けの一覧が表示されている日付け一覧３１１が表示される。ユーザは、表示された日付一覧３１１のうち、表示部３１に番組表を表示させたい日付を選択する。
【０２２８】
表示部３１に表示されている番組表２８１の時間２８６が選択された場合、図３１に示されるように、表示部３１に表示される番組表の表示開始時刻を設定するためのリストボックス３２１が表示される。ユーザは、リストボックス３２１から、番組を調べたい時間に対応するものを選択する。
【０２２９】
広告バナー２８３は、上述したように、一定の時間で自動的に表示が変更される。ユーザが広告バナー２８３をクリックすることにより、図３２に示されるような広告詳細画面が表示される。広告詳細画面には、必要に応じて、ＵＲＬが記載されたリンクテキスト３３１、もしくは、メールアドレスが記載されたメイル・トゥ・テキスト３３２が表示され、一つ前の表示画面に戻るためのＯＫボタン３３３が備えられている。
【０２３０】
ユーザによって、リンクテキスト３３１が選択された場合、図３３に示されるように、ウェブブラウザ８６が起動され、ウェブブラウザ８６の処理により、データ通信プログラム８１が起動され、所定の処理により、インターネット８を介して、図示しないＷＷＷサーバに接続され、リンクテキスト３３１のＵＲＬにより指定されるウェブページが表示される。
【０２３１】
ユーザによって、メイル・トゥ・テキスト３３２が選択された場合、図３４に示されるように、電子メールプログラム８５が起動され、メイル・トゥ・テキスト３３２により指定されるアドレスに送信するメールを作成するためのメール作成画面が表示される。作成されたメールの送信が指令された場合、電子メールプログラム８５の処理により、データ通信プログラム８１が起動され、所定の処理により、アクセスサーバ６の図示しないメールサーバに接続され、インターネット８を介して、指定されたあて先に、電子メールが送信される。
【０２３２】
また、ユーザが実際に録画予約を設定する場合、同一時間帯において、他のチャンネルにどのような番組があるかを知り、その中で、最も自分の嗜好に合致した番組を選択したいと考える。そのような場合、ユーザは、図２５の番組表の中に表示されている所望の番組の開始時刻を選択し、図２６に示されるドロップダウンリストボックス２９３を表示させて「時間帯番組一覧」の項目を選択することにより、図３５に示される指定時間帯番組一覧３３５を表示させる。
【０２３３】
番組録画設定プログラム８３は、入出力制御プログラム８２の処理により、ユーザが選択した所望の番組の開始時刻の入力を受ける。ここでは、ユーザが選択するのは番組の開始時刻であるが、番組録画設定プログラム８３は、ユーザの選択した時刻ではなく、対応する番組の開始時刻および終了時刻を番組表メモリ９１から抽出し、検索された開始時刻乃至終了時刻の間に放送される全ての番組情報を検索して、図３５に示される指定時間帯番組一覧３３５を生成し、入出力制御プログラム８２の処理により、表示部３１に出力させて表示させる。
【０２３４】
図２５を用いて説明した番組表２８１もしくは図３５を用いて説明した指定時間帯番組一覧３３５のうち、ユーザは、所望の番組を選択して、パーソナルコンピュータ９に、録画予約を設定することができる。
【０２３５】
次に、図３６のフローチャートを参照して、パーソナルコンピュータ９に、録画予約を設定する処理について説明する。
【０２３６】
ＰＤＡ１の番組録画設定プログラム８３は、ステップＳ５１において、入出力制御プログラム８２の処理により、番組表２８１において、ユーザが所望する番組の選択を示す信号の入力を受け、ステップＳ５２において、図３７に示される選択された番組に対応する番組詳細画面を表示する。
【０２３７】
具体的には、番組表２８１のうち、ユーザが任意の番組を選択することにより（もしくは、図３５を用いて説明した指定時間帯番組一覧３３５のうち、ユーザが任意の番組を選択することにより）、図３７に示されるように、番組詳細画面が表示される。
【０２３８】
番組詳細画面には、対応する番組の詳細情報（図６を用いて説明した番組表１０１の番組データに含まれる詳細情報）、前の表示画面（番組表２８１もしくは指定時間帯番組一覧３３５）に戻る場合に押下されるＯＫボタン３４１、および、この番組を予約表９２に追加する場合に押下される「予約表へ追加」ボタン３４２が表示される。番組詳細画面には、また、対応する放送局が管理するウェブページのＵＲＬ、もしくは、対応する番組に関する情報が記載されているウェブページのＵＲＬを表示させるようにしても良い。
【０２３９】
ＰＤＡ１の番組録画設定プログラム８３は、ステップＳ５３において、入出力制御プログラム８２の処理により、「予約表に追加」ボタン３４２の選択を受け、ステップＳ５４において、番組表メモリ９１から対応する番組の番組表１０１を検索し、検索された番組表１０１の番組データを、予約表９２にコピーする。
【０２４０】
図３７を用いて説明した番組詳細画面において、「予約表に追加」ボタン３４２が選択され、予約表９２に対応する番組のデータがコピーされることにより、図３８に示される予約表画面が表示される。予約表画面には、予約表９２にコピーされた番組データの放送日時およびタイトルが表示され、番組表２８１に表示を戻すための番組表ボタン３５１、および過去の予約データであって、予約表９２からまだ削除されていないデータも表示させるか否かを設定するためのチェックボックス３５２が備えられている。
【０２４１】
予約表画面において、ユーザが所望の番組名を選択した場合、図３９に示される予定の詳細画面が表示される。予定の詳細画面には、選択された番組の放送予定日時、チャンネル、タイトル、コメントなどの詳細情報が表示され、一つ前の表示画面である図３８の予約表画面に戻るためのＯＫボタン３６１、この番組の予約を取り消す場合に選択される削除ボタン３６２、および、図４６を用いて後述する、対応する番組の録画指令を、パーソナルコンピュータ９（もしくいはＶＣＲ１３）に送出する処理を行う場合に選択される送信ボタン３６３が備えられている。
【０２４２】
削除ボタン３６２が選択された場合、図４０に示されるように、例えば、「この予定を削除しますか」というメッセージが表示され、選択された予定を削除する場合に押下されるＯＫボタン３６６および予定を削除しない場合に押下されるキャンセルボタン３６７を備えた確認ウィンドウ３６５が表示される。
【０２４３】
ＰＤＡ１の番組録画設定プログラム８３は、ステップＳ５５において、データ通信プログラム８１の処理により、通信部５３を介して、クレードル７からホットシンクボタン３５が押下されたことを示す信号の入力を受け、ステップＳ５６において、データ通信プログラム８１の処理により、通信部５３およびクレードル７を介して、パーソナルコンピュータ９と通信を開始させる。
【０２４４】
パーソナルコンピュータ９のＣＰＵ１３１は、ステップＳ５７において、通信ボード１４５、外部バス１３６、ブリッジ１３５、およびホストバス１３４を介して、クレードル７から通信開始の入力を受け、図９を用いて説明したホットシンクマネージャ１７２を起動し、Palmデスクトップ１７３用のインターフェースを確立し、ステップＳ５８において、前回のホットシンクの実施以降に実行された番組録画の履歴などの情報を、入出力管理プログラム１７１の処理により、通信ボード１４５およびクレードル７を介して、ＰＤＡ１に送信する。
【０２４５】
ＰＤＡ１の番組録画設定プログラム８３は、ステップＳ５９において、データ通信プログラム８１の処理により、予約表９２の登録内容を、クレードル７を介して、パーソナルコンピュータ９に送信し、パーソナルコンピュータ９から、番組録画履歴などの情報（パーソナルコンピュータ９がステップＳ５８において送信した情報）を受信し、ステップＳ６０において、受信した番組録画履歴を基に、予約表９２を更新する。
【０２４６】
例えば、現在、予約表９２に記録されている番組データのうち、ステップＳ５８においてパーソナルコンピュータ９が送信した番組録画履歴には、パーソナルコンピュータ９の予約監視プログラム１７４による予約録画の状態を示す情報が含まれている。番組録画設定プログラム８３は、受信した情報を基に、予約表９２を更新するので、それ以降、ユーザが予約表画面を表示させた場合には、図４１に示されるように、録画済であることを示すアイコン３７１、録画予約設定中であることを示すアイコン３７２、もしくは、例えば二重予約などの、何らかのエラーが発生していることを示すアイコン３７３が、予約表９２の内容に基づいて表示される。ユーザは、これらのアイコンによって、パーソナルコンピュータ９において実行されている予約録画の状況を、ＰＤＡ１で知ることができる。
【０２４７】
パーソナルコンピュータ９のホットシンクマネージャ１７２は、ステップＳ６１において、入出力管理プログラム１７１の処理により、ＰＤＡ１から、クレードル７および通信ボード１４５を介して、予約表９２の登録内容を受信し、ステップＳ６２において、予約監視プログラム１７４に、新たな録画予約情報を登録する。
【０２４８】
ステップＳ６３において、予約監視プログラム１７４は、録画予約に登録されている時刻になったか否かを判断する。ステップＳ６３において、録画予約に登録されている時刻になっていないと判断された場合、録画予約に登録されている時刻になったと判断されるまで、ステップＳ６３の処理が繰り返される。
【０２４９】
ステップＳ６３において、録画予約に登録されている時刻になったと判断された場合、ステップＳ６４において、予約監視プログラム１７４は、自動録画処理を実行して、処理が終了される。
【０２５０】
このような処理により、ＰＤＡ１において予約表９２に登録された録画予約のための情報が、パーソナルコンピュータ９に送信され、パーソナルコンピュータ９において、ユーザが所望する番組が録画される。
【０２５１】
ＰＤＡ１には、図５を用いて説明したように、予定表プログラム８４がインストールされ、実行可能な状態になされている。予定表プログラム８４は、ユーザの予定を管理するためのプログラムである。
【０２５２】
ユーザにとって、番組の録画予約の予定も、自分の予定表に組み入れたい項目である場合がある。その場合、図１６を用いて説明した設定画面のチェックボックス２４３にチェックすることにより、予約表９２の登録内容を予定表９４に反映させるようにしても良い。
【０２５３】
次に、図４２のフローチャートを参照して、ＰＤＡ１の予定表９４の変更処理について説明する。
【０２５４】
ステップＳ７１において、ＰＤＡ１の番組録画設定プログラム８３は、設定情報メモリ９３に設定されている内容を基に、予定表プログラム８４の予定表９４に、予約表９２の予約情報を反映するように設定されているか否か、すなわち、チェックボックス２４３がチェックされているか否かを判断する。
【０２５５】
ステップＳ７１において、予定表９４に、予約表９２の予約情報を反映するように設定されていると判断された場合、ステップＳ７２において、番組録画設定プログラム８３は、予約表９２に新規に録画予約されている番組があるか否かを判断する。ステップＳ７１において、予定表９４に、予約表９２の予約情報を反映するように設定されていないと判断された場合、処理が終了される。
【０２５６】
ステップＳ７２において、予約表９２に新規に録画予約されている番組があると判断された場合、ステップＳ７３において、番組録画設定プログラム８
３は、新規の録画予約は、０時００分をまたぐ（すなわち、日付けをまたぐ）番組の録画予約であるか否かを判断する。ステップＳ７２において、予約表９２に新規に録画予約されている番組がないと判断された場合、処理は、ステップＳ７９に進む。
【０２５７】
ステップＳ７３において、新規の録画予約は、０時００分をまたぐ番組の録画予約であると判断された場合、ステップＳ７４において、番組録画設定プログラム８３は、予定表９４に反映される録画終了時刻を、予約開始と同一の日の２３時５９分とする。
【０２５８】
ステップＳ７３において、新規の録画予約は、０時００分をまたぐ番組の録画予約ではないと判断された場合、もしくはステップＳ７４の処理の終了後、番組録画設定プログラム８３は、ステップＳ７５において、新規の録画予約設定に対応する番組毎に固有に割り当てられるＵＩＤを作成し、ステップＳ７６において、予約表９２から、対応するデータをコピーして、作成したＵＩＤとともに、予定表プログラム８４の予定表９４に登録する。
【０２５９】
ステップＳ７７において、予定表プログラム８４は、予定開始時刻に対して所定の時間だけ先にアラームが鳴るように設定されているか否かを判断する。
【０２６０】
ステップＳ７７において、アラームが設定されていると判断された場合、ステップＳ７８において、予定表プログラム８４は、新規の録画予約の時刻を基に、アラームを設定する。例えば、イベントの開始時刻の１０分前にアラームが鳴るように設定されている場合、予定表プログラム８４は、新規の録画予約の開始時刻の１０分前にアラームをセットする。
【０２６１】
ステップＳ７９において、番組録画設定プログラム８３は、以前実行された予約表９２の変更処理以降、予約表９２から録画予約を削除された番組があるか否かを判断する。
【０２６２】
ステップＳ７９において、予約表９２から録画予約を削除された番組があると判断された場合、ステップＳ８０において、番組録画設定プログラム８３は、録画予約を削除された番組のＵＩＤを、予定表プログラム８４に供給する。予定表プログラム８４は、供給された番組のＵＩＤを基に、対応する番組を予定表９４から削除する。
【０２６３】
ステップＳ７９において、予約表９２から録画予約を削除された番組がないと判断された場合、もしくは、ステップＳ８０の処理の終了後、処理が終了される。
【０２６４】
図４２のフローチャートを用いて説明した処理により、予定表９４に記録されているデータに、予約表９２のデータが反映されるので、図１１を用いて説明した初期画面において、予定表プログラム８４の起動を指令するアイコンが選択された場合に表示される予定表画面には、図４３に示されるように、録画予約の予定が記載される。
【０２６５】
このとき、予定表画面には、他の予定と番組録画予定とを区別するために、図１６を用いて説明した挿入キーワード２４４に続いて録画予約された番組名が記載される。挿入キーワードを用いる以外にも、例えば、表示色を変更させるなどによって、他の予定と番組録画予定とを区別することができるようにしても良い。
【０２６６】
また、ＰＤＡ１のデータ通信プログラム８１は、赤外線通信部２２を介して、他の装置と赤外線通信を行うか、もしくは、無線ＬＡＮ通信部６４を介して、無線通信を行う。
【０２６７】
例えば、ＰＤＡ１−１からＰＤＡ１−２へ、上述した番組録画設定プログラム８３の処理により設定された情報を送信する場合の操作について説明する。
【０２６８】
ユーザは、図２０を用いて説明した情報管理画面を表示させ、取得した番組情報、あるいは録画予約の設定内容を送信したい日付けを選択する。日付けは、複数選択することも可能である。そして、ユーザは、図２２を用いて説明したドロップダウンリストボックス２６８を表示させ、「情報の赤外線通信」の項目を選択する。番組録画設定プログラム８３は、選択された日付けに対応する、取得した番組情報および広告情報、並びに録画予約の設定内容を、赤外線通信を用いて送信する。このとき、例えば、送信処理を中断することなどにより、広告情報を除いた情報が送信されるようなことがないように、広告情報が最初に送信される。
【０２６９】
あるいは、ユーザは、図１１を用いて説明した初期画面において、メニューを表示させる。図４４に示されるように、アプリケーションタグ３９１およびオプションタグ３９２が表示されるので、ユーザは、アプリケーションタグ３９１を選択する。
【０２７０】
ＰＤＡ１−１のPalm OSは、ユーザの操作入力を受けて、ドロップダウンリストボックス３９３を表示させる。ユーザは、表示されたドロップダウンリストボックス３９３から「赤外線通信」の項目を選択することにより、図４５に示される赤外線通信画面を表示させることができる。
【０２７１】
赤外線通信画面には、ＰＤＡ１−１が有するアプリケーションの一覧が表示され、赤外線通信モードを終了させるための終了ボタン４０１、および選択したアプリケーションのデータを赤外線通信させるための赤外線通信ボタン４０２が設けられている。
【０２７２】
ユーザは、アプリケーションの一覧の中から、番組予約を選択し、赤外線通信ボタン４０２を選択する。ＰＤＡ１−１のPalm OSは、ユーザの操作入力を受けて、赤外線通信の受信先となる装置（ここではＰＤＡ１−２）を探し、対応する装置が見つかった場合、番組録画設定プログラム８３が保持している情報（例えば、番組表メモリ９１に記録されているダウンロード済みの番組表１０１、あるいは予約表９２に記載されている番組予約予定など）を、赤外線通信を用いて送信する。この場合も同様に、広告情報が最初に送信される。
【０２７３】
ここでは、番組表メモリ９１に記録されているダウンロード済みの番組表１０１、あるいは予約表９２に記載されている番組予約予定など赤外線通信を用いて送信する場合について説明したが、同様の処理により、無線通信を用いて情報を送出することができるようにしてもよいことは言うまでもない。
【０２７４】
ＰＤＡ１−１の番組録画設定プログラム８３によって、予約表９２に記録された番組録画予約の設定を、赤外線通信あるいは無線通信を用いて、ＰＤＡ１−２に送信することにより、例えば、ＰＤＡ１−１を保有するユーザが、ＰＤＡ１−２を保有するユーザに代わって番組情報をダウンロードして、ＰＤＡ１−２を保有するユーザのために、番組録画予約の予約表を作成することができる。ＰＤＡ１−１を保有するユーザは、作成した予約表９２をＰＤＡ１−２に赤外線通信を用いて送信し、ＰＤＡ１−２のユーザは、図３６を用いて説明した方法で、パーソナルコンピュータ９、もしくはＶＣＲ１３へ録画予約設定を行うことができる。
【０２７５】
また、番組録画設定プログラム８３は、ＰＤＡ１の赤外線通信機能を利用して、予約設定した番組の録画指令を、パーソナルコンピュータ９、もしくはＶＣＲ１３に赤外線通信により送出することも可能である。図３９を用いて説明した予定の詳細画面において表示されている送信ボタン３６３が、ユーザによって押下された場合、番組録画設定プログラム８３は、そのとき表示されている番組の録画指令を生成し、データ通信プログラム８１の処理により、赤外線通信部２２（もしくは、無線ＬＡＮ通信部６４）を介して送出させる。
【０２７６】
次に、図４６のフローチャートを参照して、赤外線通信を利用して、パーソナルコンピュータ９に録画指令を送出する処理について説明する。なお、パーソナルコンピュータ９ではなく、ＶＣＲ１３に対して録画指令を送出する場合も、基本的には、同様の処理が実行されるので、その説明は省略する。
【０２７７】
ステップＳ９１において、番組録画設定プログラム８３は、入出力制御プログラム８２の処理により、タッチパッド制御部４８、ジョグダイヤル３３、もしくはキー３２から入力されるユーザの操作に従って、図３８を用いて説明した予定表画面を表示部３１に表示させ、入出力制御プログラム８２の処理により、タッチパッド制御部４８、ジョグダイヤル３３、もしくはキー３２から、ユーザが所望する番組の選択を示す入力を受ける。
【０２７８】
ステップＳ９２において、番組録画設定プログラム８３は、選択された番組に対応する、図３９を用いて説明した予定の詳細画面を生成し、入出力制御プログラム８２の処理により、表示部３１に出力して、表示させる。
【０２７９】
ステップＳ９３において、番組録画設定プログラム８３は、入出力制御プログラム８２の処理により、タッチパッド制御部４８から、送信ボタン３６３の選択を示す信号の入力を受ける。
【０２８０】
ステップＳ９４において、番組録画設定プログラム８３は、予約表９２に記録されている番組の番組データを基に、録画指令を生成し、データ通信プログラム８１に供給する。録画指令には、例えば、録画を実行したい番組のチャンネル、放送開始時間、および放送終了時間が含まれている。
【０２８１】
ステップＳ９５において、データ通信プログラム８１は、赤外線通信を利用して、パーソナルコンピュータ９に、ステップＳ９４において生成された録画指令を送信する。
【０２８２】
ステップＳ９６において、パーソナルコンピュータ９の録画予約設定プログラム１７８は、入出力管理プログラム１７１の処理により、赤外線通信部１４６（もしくは、無線ＬＡＮ通信部１４７）を介して、ＰＤＡ１から、録画指令を受信する。ここで、録画予約設定プログラム１７８は、ＰＤＡ１に対して録画指令を受信したことを示す返信コマンドを生成して、入出力管理プログラム１７１の処理により、赤外線通信部１４６（もしくは、無線ＬＡＮ通信部１４７）を介して、ＰＤＡ１に返信するようにしても良い。
【０２８３】
ステップＳ９７乃至ステップＳ９９において、図３６のステップＳ６２乃至ステップＳ６４と同様の処理が実行され、処理が終了される。
【０２８４】
このような処理により、例えば、Ｇコードの番号を入力するような煩雑な操作を行うことなく、簡単な処理で、パーソナルコンピュータ９もしくはＶＣＲ１３に対して、録画予約を指令することができる。
【０２８５】
また、番組録画設定プログラム８３は、ＰＤＡ１の赤外線通信機能を利用して、パーソナルコンピュータ９が実行するプログラムに対して、パーソナルコンピュータ９のキーボード１３８もしくはマウス１３９を用いることなく、ＰＤＡ１を用いて、リモートコントロールにより操作入力するための処理を行うことができる。
【０２８６】
次に、図４７のフローチャートを参照して、録画予約設定プログラム１７８に対するリモートコントロール処理について説明する。ここでは、パーソナルコンピュータ９において、録画予約設定プログラム１７８が起動され、ＰＤＡ１を用いてリモートコントロールを行う場合について説明する。
【０２８７】
ステップＳ１１１において、番組録画設定プログラム８３は、入出力制御プログラム８２の処理により、タッチパッド制御部４８、ジョグダイヤル３３、もしくはキー３２から入力されるユーザの操作に従って、リモートコマンダ表示画面を表示させる。
【０２８８】
図４８は、リモートコマンダ表示画面である。リモートコマンダ表示画面には、各種指令を入力するためのキー群４１１およびメニューを表示させるためのタグ４１２が表示されている。タグ４１２が選択された場合、図示しないドロップダウンリストボックスが表示され、リモートコマンダ表示画面の終了を指示することができる。図示しないドロップダウンリストボックスには、終了を指示するメニュー以外にも、例えば、表示のフォントの設定画面を設定する設定画面に移行するためのコマンドなど、複数のコマンドが用意される。
【０２８９】
ステップＳ１１２において、パーソナルコンピュータ９のＣＰＵ１３１は、ユーザの操作に従って、録画予約設定プログラム１７８を起動させ、入出力管理プログラム１７１の処理により、ＣＲＴ１４０に、図４９に示される録画予約設定画面４１５を表示させる。
【０２９０】
ステップＳ１１３において、番組録画設定プログラム８３は、入出力制御プログラム８２の処理により、タッチパッド制御部４８、ジョグダイヤル３３、
もしくはキー３２からユーザの操作入力を受ける。
【０２９１】
ステップＳ１１４において、パーソナルコンピュータ９の録画予約設定プログラム１７８は、入出力管理プログラム１７１の処理により、赤外線通信部１４６（もしくは、無線ＬＡＮ通信部１４７）を介して、ＰＤＡ１から、ユーザの操作に対応する信号の入力を受ける。また、録画予約設定プログラム１７８は、録画指令を受信したことを示す返信コマンドを生成して、入出力管理プログラム１７１の処理により、赤外線通信部１４６（もしくは、無線ＬＡＮ通信部１４７）を介して、ＰＤＡ１に返信するようにしても良い。
【０２９２】
ステップＳ１１５において、パーソナルコンピュータ９の録画予約設定プログラム１７８は、入力された信号に対応する処理を実行する。例えば、ユーザがジョグダイヤル３３を回転操作した場合、ステップＳ１１２において表示された録画予約設定画面上において、選択されるメニューバーのタグ、あるいはボタンなどの位置が変更されるといったように、ＰＤＡ１から入力されるユーザの操作に対応する信号と、録画予約設定プログラム１７８に対する指令が対応されている。
【０２９３】
ステップＳ１１６において、番組録画設定プログラム８３は、入出力制御プログラム８２の処理により、操作終了の指示を受けたか否かを判断する。ステップＳ１１６において、操作終了の指示を受けていないと判断された場合、処理は、ステップＳ１１３に戻り、それ以降の処理が繰り返される。
【０２９４】
ステップＳ１１６において、操作終了の指示を受けたと判断された場合、ステップＳ１１７において、番組録画設定プログラム８３は、入出力制御プログラム８２の処理により、図４８を用いて説明したリモートコマンダ表示画面の一つ前に表示されていた表示画面を表示させ、処理が終了される。
【０２９５】
図４７を用いて説明した処理により、キーボード１３８やマウス１３９の操作に不慣れなユーザでも、ＰＤＡ１を用いて、パーソナルコンピュータ９が実行する録画予約の設定などを簡単に行うことができる。
【０２９６】
他の例として、録画再生プログラム１７７の処理により、コンテンツ再生処理を行い、図５０に示される表示画面をＣＲＴ１４０に表示させている状態で、ＰＤＡ１の処理により、リモートコントロールを実行する場合について説明する。
【０２９７】
例えば、図５０に示されるビデオレコーダウィンドウ４２２には、ユーザの操作により選択された動画像データや現在放送中のテレビ番組が表示されるようになされている。ユーザは、ビデオレコーダウィンドウ４２２内のコンテンツカプセル選択ウィンドウ４２３に表示された複数の番組コンテンツの中から、所望のコンテンツを選択して再生させることもできる。ユーザは、所望のコンテンツを再生させたい場合、図４８のキー群４１１のうちの所定の方向を指示するカーソルキーを押下するか、もしくはジョグダイヤル３３を回転操作することにより、所望のコンテンツを選択することができる。
【０２９８】
パーソナルコンピュータ９の入出力管理プログラム１７１は、赤外線通信部１４６（もしくは、無線ＬＡＮ通信部１４７）を介して入力された、ユーザの操作を示す信号を基に、コンテンツカプセル選択ウィンドウ４２３に表示されているコンテンツ名のうち、反転されているテキストを順次変更するように、その表示を制御する。
【０２９９】
そして、入出力管理プログラム１７１は、赤外線通信部１４６（もしくは、無線ＬＡＮ通信部１４７）を介して入力された、図４８のキー群４１１のうちの再生キーが押下されたことを示す信号、もしくは、ジョグダイヤル３３が本体側への押圧操作されたことを示す信号の入力を受け、選択が確定されたことを示す信号を録画再生プログラム１７７に供給する。録画再生プログラム１７７は、入力された信号に従って、選択されたコンテンツの再生処理を実行させる。
【０３００】
図５０においては、パーソナルコンピュータ９において、録画再生プログラム１７７が起動されていた場合について説明したが、パーソナルコンピュータ９において、他のプログラムが起動されていた場合にも、基本的に同様の処理が実行される。なお、ジョグダイヤル３３の操作と、パーソナルコンピュータ９の表示画面上における操作との対応は、この限りではない。
【０３０１】
また、番組録画設定プログラム８３は、ＰＤＡ１の赤外線通信機能を利用して、同様の処理により、ＶＣＲ１３のリモートコントローラとしても機能することができる。
【０３０２】
更に、番組録画設定プログラム８３は、ＰＤＡ１の赤外線通信機能を利用して、パーソナルコンピュータ９がＨＤＤ１４１に記録しているコンテンツデータを受信し、そのコンテンツデータを再生することができる。
【０３０３】
パーソナルコンピュータ９のＨＤＤ１４１には、複数のコンテンツデータが記録されている。コンテンツデータは、ＡＶコンテンツデータ管理検索プログラム１７６の処理により、管理され、検索される。
【０３０４】
ＡＶコンテンツデータ管理検索プログラム１７６の処理により、ＣＲＴ１４０に表示されるＡＶコンテンツ管理検索画面４３１を図５１に示す。ＡＶコンテンツ管理検索画面４３１には、ＨＤＤ１４１に保存されているコンテンツデータの一覧が表示され、コンテンツ名とともに、例えば、作成（録画）日時、再生済みか、まだ再生されていないかなどを示すコンテンツの状態情報、コンテンツの長さ、チャンネル名、録画モードなどが表示される。
【０３０５】
ＰＤＡ１は、パーソナルコンピュータ９と比較して、データの記憶容量が少なく、かつ、動画の表示の性能が低いので、パーソナルコンピュータ９のＡＶコンテンツ変換プログラム１７５は、コンテンツデータを、データ容量が少なく、ＰＤＡ１が表示するのに適した所定のフォーマットに変換した後、入出力管理プログラム１７１の処理により、赤外線通信部１４６（もしくは、無線ＬＡＮ通信部１４７）を介して、ＰＤＡ１に送信する。
【０３０６】
ＰＤＡ１の番組録画設定プログラム８３は、データ通信プログラム８１の処理により、赤外線通信部２２（もしくは、無線ＬＡＮ通信部６４）から受信されたコンテンツデータのうちの動画像データを動画表示プログラム８７に供給し、ユーザの操作に基づいて、表示部３１に表示させるとともに、コンテンツデータのうちの音声データを、バッファ５０を介して、音声再生部５１に出力し、音声を再生させる。
【０３０７】
次に、図５２のフローチャートを参照して、パーソナルコンピュータ９に記録されているコンテンツデータを、ＰＤＡ１に赤外線通信を利用して送信し、ＰＤＡ１で、コンテンツデータを再生する処理について説明する。
【０３０８】
ＰＤＡ１の番組録画設定プログラム８３は、ステップＳ１３１において、入出力制御プログラム８２の処理により、タッチパッド制御部４８、ジョグダイヤル３３、もしくはキー３２から入力される、コンテンツデータの受信・再生モードへの移行指示の入力を受け、ステップＳ１３２において、図５３に示されるようなコンテンツデータ受信・再生画面を表示させる。ステップＳ１３２においては、まだ、パーソナルコンピュータ９からコンテンツの一覧を受信していないので、図５３に示されるコンテンツデータ受信・再生画面のコンテンツ名は表示されていない。
【０３０９】
図５３のコンテンツデータ受信・再生画面には、所望のコンテンツデータをパーソナルコンピュータ９から受信する場合に押下されるコンテンツデータ受信ボタン４４１、およびコンテンツデータの一覧をパーソナルコンピュータ９から受信する場合に押下される一覧受信ボタン４４２が設けられている。
【０３１０】
ステップＳ１３３において、ＰＤＡ１の番組録画設定プログラム８３は、データ通信プログラム８１の処理により、赤外線通信部２２（もしくは、無線ＬＡＮ通信部６４）を介して、コンテンツデータ一覧の送信要求をパーソナルコンピュータ９に送信する。
【０３１１】
ステップＳ１３４において、パーソナルコンピュータ９のＡＶコンテンツ管理検索プログラム１７６は、入出力管理プログラム１７１の処理により、赤外線通信部１４６（もしくは、無線ＬＡＮ通信部１４７）を介して、コンテンツデータ一覧の送信要求を、ＰＤＡ１から受信する。
【０３１２】
ステップＳ１３５において、ＡＶコンテンツ管理検索プログラム１７６は、コンテンツデータ一覧を生成し、入出力管理プログラム１７１の処理により、赤外線通信部１４６（もしくは、無線ＬＡＮ通信部１４７）を介して、ＰＤＡ１に送信する。
【０３１３】
ステップＳ１３６において、ＰＤＡ１の番組録画設定プログラム８３は、データ通信プログラム８１の処理により、赤外線通信部２２（もしくは、無線ＬＡＮ通信部６４）を介して、コンテンツデータ一覧を受信し、コンテンツデータ一覧画面に対応する表示画面データを生成して、入出力制御プログラム８２の処理により、表示部３１に出力して表示させる。
【０３１４】
ステップＳ１３６の処理により、コンテンツデータ受信・再生画面には、図５３に示されるように、パーソナルコンピュータ９が内部に保存しているコンテンツ名の一覧が表示される。
【０３１５】
ユーザは、一覧表示されているコンテンツデータのうち、所望のコンテンツデータ選択し、コンテンツデータ受信ボタン４４１を押下する。ステップＳ１３７において、番組録画設定プログラム８３は、入出力制御プログラム８２の処理により、タッチパッド制御部４８、ジョグダイヤル３３、もしくはキー３２から入力される、コンテンツ名の選択と、選択されたコンテンツデータの受信を指令する操作を示す信号（すなわち、コンテンツデータ受信ボタン４４１が押下されたことを示す信号）の入力を受ける。
【０３１６】
ステップＳ１３８において、番組録画設定プログラム８３は、対応するコンテンツデータのデータ変換および送信要求を生成し、データ通信プログラム８１の処理により、赤外線通信部２２（もしくは、無線ＬＡＮ通信部６４）から、パーソナルコンピュータ９に送信する。
【０３１７】
ステップＳ１３９において、パーソナルコンピュータ９の入出力管理プログラム１７１は、コンテンツデータのデータ変換および送信要求を、赤外線通信部１４６（もしくは、無線ＬＡＮ通信部１４７）を介して受信し、ＡＶコンテンツ管理検索プログラム１７６に供給する。ＡＶコンテンツ管理検索プログラム１７６は、対応するコンテンツデータを検索して、ＡＶコンテンツ変換プログラム１７５に供給する。ＡＶコンテンツ変換プログラム１７５は、供給されたコンテンツデータを、ＰＤＡ１の動画表示プログラム８７の処理によって表示部３１に表示させるのに適した所定のフォーマットに変換し、入出力管理プログラム１７１に供給する。
【０３１８】
ステップＳ１４０において、入出力管理プログラム１７１は、変換されたコンテンツデータを、赤外線通信部１４６（もしくは、無線ＬＡＮ通信部１４７）を介して、ＰＤＡ１に送信する。
【０３１９】
ステップＳ１４１において、ＰＤＡ１の番組録画設定プログラム８３は、データ通信プログラム８１の処理により、赤外線通信部２２（もしくは、無線ＬＡＮ通信部６４）を介して、ＰＤＡ１のコンテンツデータを受信し、再生可能なコンテンツデータのアイコンを生成し、入出力制御プログラム８２の処理により、表示部３１に出力して表示させる。
【０３２０】
図５４に、再生可能なコンテンツデータに対応するアイコンが表示された再生指示画面を示す。再生指示画面には、再生可能なコンテンツに対応するアイコン群４５１が表示され、更に、図５３のコンテンツ一覧表示画面に戻るための一覧表示ボタン４５２が備えられている。
【０３２１】
ステップＳ１４２において、番組録画設定プログラム８３は、入出力制御プログラム８２の処理により、タッチパッド制御部４８、ジョグダイヤル３３、もしくはキー３２から入力される信号に基づいて、アイコンの選択を受けたか否かを判断する。ステップＳ１４２において、アイコンの選択を受けていないと判断された場合、アイコンの選択を受けたと判断されるまで、ステップＳ１４２の処理が繰り返される。
【０３２２】
ステップＳ１４２において、
アイコンの選択を受けたと判断された場合、ステップＳ１４３において、番組録画設定プログラム８３は、ステップＳ１４２において選択されたコンテンツデータを、動画表示プログラム８７に供給し、入出力制御プログラム８２の処理により、ユーザの操作に従って、対応するコンテンツデータを表示部３１に出力させ、再生させて、処理が終了される。
【０３２３】
コンテンツデータを表示させた表示画面３１を図５５に示す。表示画面３１には、コンテンツの動画を表示する表示エリア４６１以外に、ユーザが簡単に操作を行えるようなボタン群４６２を表示させるようにしても良い。
【０３２４】
図５２を用いて説明した処理により、パーソナルコンピュータ９に蓄積されたコンテンツを、ＰＤＡ１を用いて再生することができるようになるので、例えば、移動中の電車の中などでも、録画したコンテンツを再生して楽しむことができる。
【０３２５】
また、パーソナルコンピュータ９は、ＰＤＡ１からの操作入力を受けることなく、ＡＶコンテンツ変換プログラム１７５を起動し、コンテンツデータを所定のフォーマットに変換させることが可能である。例えば、図５６に示されるように、図５１を用いて説明したＡＶコンテンツ管理検索画面４３１を表示させている状態で、ＡＶコンテンツ変換プログラム１７５を起動させると、コンテンツ変換ウィンドウ４７１が表示される。
【０３２６】
ユーザが、所望のコンテンツを示すアイコンを、ＡＶコンテンツ管理検索画面４３１からコンテンツ変換ウィンドウ４７１にドロップアンドドラッグするか、もしくは、コピーアンドペーストした場合、ＡＶコンテンツ変換プログラム１７５は、ユーザが選択したアイコンに対応するコンテンツデータを、ステップＳ１３９において実行する処理と同様にして、所定のフォーマットに変換する。
【０３２７】
所定のフォーマットに変換されたＡＶデータは、コンテンツ変換ウィンドウ４７１内に、アイコン４７２として表示される。
【０３２８】
更に、コンテンツ変換ウィンドウ４７１にメニュー画面を設けることなどにより、パーソナルコンピュータ９への操作入力によって、フォーマットが変換されたコンテンツデータを、パーソナルコンピュータ９からＰＤＡ１に対して赤外線通信、あるいは無線通信により送信することができるようにしても良い。
【０３２９】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム格納媒体からインストールされる。
【０３３０】
コンピュータにインストールされ、コンピュータによって実行可能な状態とされるプログラムを格納するプログラム格納媒体は、図４に示されるように、磁気ディスク７１（フロッピーディスク（登録商標）を含む）、光ディスク７２（CD-ROM（Compact Disc-Read Only Memory）、DVD（Digital Versatile Disc)を含む）、光磁気ディスク７３（MD(Mini-Disc)を含む）、もしくは半導体メモリ１２４などよりなるパッケージメディア、または、プログラムが一時的もしくは永続的に格納されるFlash ROM４３や、ハードディスクなどにより構成される。プログラム格納媒体へのプログラムの格納は、必要に応じてルータ、モデムなどのインターフェースを介して、公衆回線網４、ローカルエリアネットワーク、インターネット８、デジタル衛星放送といった、有線または無線の通信媒体を利用して行われる。
【０３３１】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０３３２】
また、本明細書において、システムとは、複数の装置により構成される装置全体を表すものである。
【符号の説明】
【０３３３】
１  ＰＤＡ，  ２  デジタル携帯電話機，  ３  基地局，  ４  公衆回線網，７  クレードル，  ８  インターネット，  ９  パーソナルコンピュータ，  １３  ＶＣＲ，  １４  番組情報サービスプロバイダ，  １５  企業，  １６  パーソナルコンピュータ，  ３１  表示画面，  ３５  ホットシンクボタン，  ４１  ＣＰＵ，  ８１  データ通信プログラム，  ８３  番組録画設定プログラム，  ８４  予定表プログラム，  ９１  番組表メモリ，  ９２  予約表，  ９４  予定表，  １０１  番組表，  １３１  ＣＰＵ，  １７１  入出力管理プログラム，  １７２  ホットシンクマネージャ，  １７４  予約監視プログラム，  １７５  ＡＶコンテンツ変換プログラム，  １７６  ＡＶコンテンツ検索管理プログラム，  １９１  番組情報サーバ，  １９３  コンバータ，  １９４  ｐｄｂ形式番組情報データベース，  １９５  ユーザデータベース，  １９７  課金サーバ
【図１】
2010283829.tif 000003
【図２】
2010283829.tif 000004
【図３】
2010283829.tif 000005
【図４】
2010283829.tif 000006
【図５】
2010283829.tif 000007
【図６】
2010283829.tif 000008
【図７】
2010283829.tif 000009
【図８】
2010283829.tif 000010
【図９】
2010283829.tif 000011
【図１０】
2010283829.tif 000012
【図１１】
2010283829.tif 000013
【図１２】
2010283829.tif 000014
【図１３】
2010283829.tif 000015
【図１４】
2010283829.tif 000016
【図１５】
2010283829.tif 000017
【図１６】
2010283829.tif 000018
【図１７】
2010283829.tif 000019
【図１８】
2010283829.tif 000020
【図１９】
2010283829.tif 000021
【図２０】
2010283829.tif 000022
【図２１】
2010283829.tif 000023
【図２２】
2010283829.tif 000024
【図２３】
2010283829.tif 000025
【図２４】
2010283829.tif 000026
【図２５】
2010283829.tif 000027
【図２６】
2010283829.tif 000028
【図２７】
2010283829.tif 000029
【図２８】
2010283829.tif 000030
【図２９】
2010283829.tif 000031
【図３０】
2010283829.tif 000032
【図３１】
2010283829.tif 000033
【図３２】
2010283829.tif 000034
【図３３】
2010283829.tif 000035
【図３４】
2010283829.tif 000036
【図３５】
2010283829.tif 000037
【図３６】
2010283829.tif 000038
【図３７】
2010283829.tif 000039
【図３８】
2010283829.tif 000040
【図３９】
2010283829.tif 000041
【図４０】
2010283829.tif 000042
【図４１】
2010283829.tif 000043
【図４２】
2010283829.tif 000044
【図４３】
2010283829.tif 000045
【図４４】
2010283829.tif 000046
【図４５】
2010283829.tif 000047
【図４６】
2010283829.tif 000048
【図４７】
2010283829.tif 000049
【図４８】
2010283829.tif 000050
【図４９】
2010283829.tif 000051
【図５０】
2010283829.tif 000052
【図５１】
2010283829.tif 000053
【図５２】
2010283829.tif 000054
【図５３】
2010283829.tif 000055
【図５４】
2010283829.tif 000056
【図５５】
2010283829.tif 000057
【図５６】
2010283829.tif 000058